(57)【特許請求の範囲】
【請求項１】
複数のサービングセルを支援する無線通信システムにおいてユーザ機器によって伝送電力を制御する方法であって、前記方法は、
第１のＴＡＧ（ｔｉｍｉｎｇ  ａｄｖａｎｃｅ  ｇｒｏｕｐ）の第１のサービングセルにおけるＰＲＡＣＨ（ｐｈｙｓｉｃａｌ  ｒａｎｄｏｍ  ａｃｃｅｓｓ  ｃｈａｎｎｅｌ）伝送および第２のＴＡＧの第２のサービングセルにおけるＳＲＳ（ｓｏｕｎｄｉｎｇ  ｒｅｆｅｒｅｎｃｅ  ｓｙｍｂｏｌ）伝送がインデックスｉのサブフレーム（サブフレームｉ）で要求されるときに、
前記サブフレームｉでの前記ＰＲＡＣＨの伝送電力および前記ＳＲＳの伝送電力を決定することと、
前記サブフレームｉ内で前記ＰＲＡＣＨ伝送がＳＲＳ伝送と重なり、かつ前記ユーザ機器の総伝送電力が前記サブフレームｉ内で前記ユーザ機器に対して設定された最大伝送電力を超える場合に、前記サブフレームｉでの前記ＰＲＡＣＨ伝送に対する前記ＰＲＡＣＨの前記決定された伝送電力を維持することと
を含む、方法。
【請求項２】
前記第１のＴＡＧの前記第１のサービングセルを介して前記決定されたＰＲＡＣＨ伝送電力に基づいて前記サブフレームｉで前記ＰＲＡＣＨを伝送することをさらに含む、請求項１に記載の方法。
【請求項３】
前記第１のサービングセルは、セカンダリセル（Ｓｃｅｌｌ）に対応する、請求項１に記載の方法。
【請求項４】
前記第２のサービングセルは、プライマリセル（Ｐｃｅｌｌ）またはセカンダリセル（Ｓｃｅｌｌ）に対応する、請求項１に記載の方法。
【請求項５】
前記第１のＴＡＧは、１つ以上のサービングセルを含み、前記第２のＴＡＧは、１つ以上のサービングセルを含む、請求項１に記載の方法。
【請求項６】
前記第１のＴＡＧは、セカンダリセル（Ｓｃｅｌｌ）のみを含む、請求項１に記載の方法。
【請求項７】
複数のサービングセルを支援する無線通信システムにおいて伝送電力を制御するユーザ機器であって、前記ユーザ機器は、プロセッサを含み、
前記プロセッサは、
第１のＴＡＧ（ｔｉｍｉｎｇ  ａｄｖａｎｃｅ  ｇｒｏｕｐ）の第１のサービングセルにおけるＰＲＡＣＨ（ｐｈｙｓｉｃａｌ  ｒａｎｄｏｍ  ａｃｃｅｓｓ  ｃｈａｎｎｅｌ）伝送および第２のＴＡＧの第２のサービングセルにおけるＳＲＳ（ｓｏｕｎｄｉｎｇ  ｒｅｆｅｒｅｎｃｅ  ｓｙｍｂｏｌ）伝送がインデックスｉのサブフレーム（サブフレームｉ）で要求されるときに、
前記サブフレームｉでの前記ＰＲＡＣＨの伝送電力および前記ＳＲＳの伝送電力を決定することと、
前記サブフレームｉ内で前記ＰＲＡＣＨ伝送がＳＲＳ伝送と重なり、かつ前記ユーザ機器の総伝送電力が前記サブフレームｉ内で前記ユーザ機器に対して設定された最大伝送電力を超える場合に、前記サブフレームｉでの前記ＰＲＡＣＨ伝送に対する前記ＰＲＡＣＨの前記決定された伝送電力を維持することと
を行うように構成される、ユーザ機器。
【請求項８】
前記第１のＴＡＧの前記第１のサービングセルを介して前記決定されたＰＲＡＣＨ伝送電力に基づいて前記サブフレームｉで前記ＰＲＡＣＨを伝送するように構成された送信器をさらに含む、請求項７に記載のユーザ機器。
【請求項９】
前記第１のサービングセルは、セカンダリセル（Ｓｃｅｌｌ）に対応する、請求項７に記載のユーザ機器。
【請求項１０】
前記第２のサービングセルは、プライマリセル（Ｐｃｅｌｌ）またはセカンダリセル（Ｓｃｅｌｌ）に対応する、請求項７に記載のユーザ機器。
【請求項１１】
前記第１のＴＡＧは、１つ以上のサービングセルを含み、前記第２のＴＡＧは、１つ以上のサービングセルを含む、請求項７に記載のユーザ機器。
【請求項１２】
前記第１のＴＡＧは、セカンダリセル（Ｓｃｅｌｌ）のみを含む、請求項７に記載のユーザ機器。
【発明の詳細な説明】
【技術分野】
【０００１】
本発明は、キャリアアグリゲーション（Ｃａｒｒｉｅｒ  Ａｇｇｒｅｇａｔｉｏｎ／Ｍｕｌｔｉｐｌｅ  Ｃｅｌｌｓ）を支援する無線接続通信システムに係り、特に、伝送電力を制御する装置及び方法に関する。
【背景技術】
【０００２】
次世代無線接続システムに要求される条件の中で最も重要な一つは、高いデータ伝送率の要求を支援すべきことである。そのために、多重入出力（ＭＩＭＯ：Ｍｕｌｔｉｐｌｅ
Ｉｎｐｕｔ  Ｍｕｌｔｉｐｌｅ  Ｏｕｔｐｕｔ）、ＣｏＭＰ（Ｃｏｏｐｅｒａｔｉｖｅ
Ｍｕｌｔｉｐｌｅ  Ｐｏｉｎｔ  ｔｒａｎｓｍｉｓｓｉｏｎ）、リレー（ｒｅｌａｙ）などの様々な技術が研究されている。
【０００３】
従来の無線接続システムでは、上りリンクと下りリンク間の帯域幅は互いに異なるように設定されても、主に一つのキャリア（ｃａｒｒｉｅｒ）のみを考慮した。例えば、単一キャリアに基づき、上りリンクと下りリンクを構成するキャリアの個数がそれぞれ１個であり、上りリンクの帯域幅と下りリンクの帯域幅とが一般的に対称である無線通信システムが提供されてきた。
【０００４】
ただし、周波数リソースが飽和状態である実情から、より高いデータ伝送率の要求を満たすべく、広帯域の帯域幅を確保するための方案として、散在している帯域のそれぞれが独立したシステムを動作させ得る基本的要求事項を満たすように設計し、複数の帯域を一つのシステムに束ねる概念であるキャリアアグリゲーション（ＣＡ：Ｃａｒｒｉｅｒ  Ａｇｇｒｅｇａｔｉｏｎ／Ｍｕｌｔｉｐｌｅ  Ｃｅｌｌｓ）を導入している。
【０００５】
ここで、それぞれの独立した運用が可能な帯域幅単位のキャリアをコンポーネントキャリア（ＣＣ：Ｃｏｍｐｏｎｅｎｔ  Ｃａｒｒｉｅｒ）と呼ぶことができる。増加する送信容量を支援するために、最近の３ＧＰＰＬＴＥ−Ａ又は８０２．１６ｍは、２０ＭＨｚ又はそれ以上まで帯域幅を拡張し続けている。この場合、一つ又はそれ以上のコンポーネントキャリアを束ねて広帯域を支援する。例えば、一つのコンポーネントキャリアが５ＭＨｚ、１０ＭＨｚ又は２０ＭＨｚの帯域幅を支援するとすれば、最大５個のコンポーネントキャリアを束ねて最大１００ＭＨｚまでのシステム帯域幅を支援する。
【発明の概要】
【発明が解決しようとする課題】
【０００６】
本発明で達成しようとする技術的課題は、キャリアアグリゲーション状況において複数のＴＡ（ｍｕｌｔｉｐｌｅ  ｔｉｍｉｎｇ  ａｄｊｕｓｔｍｅｎｔ）を有する場合に考慮しなければならない上りリンク電力制御の全般に対する支援方向の設計を提供することにある。
【０００７】
本発明で達成しようとする他の技術的課題は、伝送電力を制御する端末装置を提供することにある。
【課題を解決するための手段】
【０００８】
上記の技術的課題を達成するための、無線通信システムにおいて端末が伝送電力を制御する方法として、ＴＡグループを考慮する方法を含むとよい。
【０００９】
本発明の一態様として、無線通信システムにおいて一つ以上のセルを含むＴＡ（Ｔｉｍｉｎｇ  Ａｌｉｇｎｍｅｎｔ）グループが複数個ある場合に、各ＴＡグループに属したセルと通信する端末の上りリンク伝送電力制御方法において、前記複数個のＴＡグループに属した各特定セルでＰＵＣＣＨ（Ｐｈｙｓｉｃａｌ  Ｕｐｌｉｎｋ  Ｃｏｎｔｒｏｌ  Ｃｈａｎｎｅｌ）、複数のＵＣＩ（Ｕｐｌｉｎｋ  Ｃｏｎｔｒｏｌ  Ｉｎｆｏｒｍａｔｉｏｎ）を含んでいるＰＵＳＣＨ（Ｐｈｙｓｉｃａｌ  Ｕｐｌｉｎｋ  Ｓｈａｒｅｄ  Ｃｈａｎｎｅｌ）、ＵＣＩを含んでいないＰＵＳＣＨ、ＰＲＡＣＨ（Ｐｈｙｓｉｃａｌ  Ｒａｎｄｏｍ  Ａｃｃｅｓｓ  Ｃｈａｎｎｅｌ）、ＳＲＳ（Ｓｏｕｎｄｉｎｇ  Ｒｅｆｅｒｅｎｃｅ  Ｓｉｇｎａｌ）のうち少なくとも２つのチャネルが同一のサブフレームで同時に伝送される場合に、前記少なくとも一つのチャネルに対する上りリンク伝送電力を決定することと、前記決定された上りリンク伝送電力で前記少なくとも一つのチャネルを伝送することと、を含み、前記上りリンク伝送電力は、ＴＡグループインデックスを考慮して決定される、上りリンク伝送電力制御方法を提供する。
【００１０】
好適には、前記ＰＲＡＣＨと、前記ＰＵＣＣＨ、前記ＰＵＳＣＨ及び前記ＳＲＳとが互いに異なるＴＡグループに属しており、互いに異なるセカンダリセル（Ｓｅｃｏｎｄａｒｙ  Ｃｅｌｌ）で伝送される場合に、前記ＰＲＡＣＨの伝送優先順位を最優先とする。
【００１１】
好適には、ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、前記ＴＡグループ２に属しているセルのＰＲＡＣＨ伝送電力は、下記の式Ａによって制御する：
【００１２】
【化１】
0005966043.tif 000002
ここで、
【００１３】
【化２】
0005966043.tif 000003
は、前記特定セルインデックスであり、
【００１４】
【化３】
0005966043.tif 000004
は、サブフレームインデックスであり、
【００１５】
【化４】
0005966043.tif 000005
は、端末が伝送可能な最大伝送電力であり、
【００１６】
【化５】
0005966043.tif 000006
は、ＲＡＣＨプリアンブルの受信電力を表し、ＰＬｃは、特定セルインデックスｃの端末の下りリンク経路損失推定値であり、
【００１７】
【化６】
0005966043.tif 000007
は、基準ＴＡグループで行った最初プリアンブルから最後のブリアンブルまでのランプ−アップ（ｒａｍｐ−ｕｐ）された全体電力である。
【００１８】
好適には、上記の式Ａの
【００１９】
【化７】
0005966043.tif 000008
に、ＴＡグループ別に適用した
【００２０】
【化８】
0005966043.tif 000009
を適用する。
【００２１】
好適には、前記
【００２２】
【化９】
0005966043.tif 000010
は、上位層、ＴＡグループ特定、端末特定のうち少なくとも一つの値でシグナリングする。
【００２３】
好適には、ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、前記ＴＡグループ１に属しているセルのＰＵＣＣＨ伝送電力は、下記の式Ｂによって制御する：
【００２４】
【化１０】
0005966043.tif 000011
ここで、
【００２５】
【化１１】
0005966043.tif 000012
は、前記特定セルインデックスであり、
【００２６】
【化１２】
0005966043.tif 000013
は、サブフレームインデックスであり、
【００２７】
【化１３】
0005966043.tif 000014
は、前記特定セルインデックスｃのサブフレームインデックスｉでのＰＵＣＣＨの伝送電力であり、
【００２８】
【化１４】
0005966043.tif 000015
は、端末が伝送可能な最大伝送電力であり、
【００２９】
【化１５】
0005966043.tif 000016
の線形値であり、
【００３０】
【化１６】
0005966043.tif 000017
は、サブフレームインデックスｉでのＲＡＣＨの伝送電力である
【００３１】
【化１７】
0005966043.tif 000018
の線形値であり、
【００３２】
【化１８】
0005966043.tif 000019
は、特定セルインデックスｃの上位レイヤから提供されたセル−特定ノミナルコンポーネント（ｎｏｍｉｎａｌ  ｃｏｍｐｏｎｅｎｔ）
【００３３】
【化１９】
0005966043.tif 000020
と上位レイヤから提供された端末−特定コンポーネント
【００３４】
【化２０】
0005966043.tif 000021
との和で構成されたパラメータであり、
【００３５】
【化２１】
0005966043.tif 000022
は、セル−特定パラメータであり、
【００３６】
【化２２】
0005966043.tif 000023
は、特定セルインデックスｃの端末がｄＢ単位で計算した下りリンク経路損失推定値であり、
【００３７】
【化２３】
0005966043.tif 000024
は、ＰＵＣＣＨフォーマットによって変わる値であり、
【００３８】
【化２４】
0005966043.tif 000025
は、チャネル品質情報（ＣＱＩ）に対する情報ビットの数であり、
【００３９】
【化２５】
0005966043.tif 000026
は、ＨＡＲＱビットの数であり、
【００４０】
【化２６】
0005966043.tif 000027
は、特定サブフレームがＰＵＳＣＨの伝送ブロック（ｔｒａｎｓｐｏｒｔ  ｂｌｏｃｋ）を有するか否かを表す値であり、
【００４１】
【化２７】
0005966043.tif 000028
は、ＰＵＣＣＨフォーマット１ａに対して相対的な値であり、
【００４２】
【化２８】
0005966043.tif 000029
は、インデックスｉサブフレームの現在ＰＵＣＣＨ電力制御調整状態を表す値であり、
【００４３】
【化２９】
0005966043.tif 000030
は、ＰＵＣＣＨが２個のアンテナポートで伝送されるように端末が構成された場合に、それぞれのＰＵＣＣＨｆｏｒｍａｔ Ｆ’が定義された上位層により定められる値である。
【００４４】
好適には、ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、前記ＴＡグループ１に属しているＰＵＣＣＨと同時伝送しないセルのＰＵＳＣＨ伝送電力は、下記の式Ｃによって制御する：
【００４５】
【化３０】
0005966043.tif 000031
ここで、
【００４６】
【化３１】
0005966043.tif 000032
は、前記特定セルインデックスであり、
【００４７】
【化３２】
0005966043.tif 000033
は、サブフレームインデックスであり、
【００４８】
【化３３】
0005966043.tif 000034
は、前記特定セルインデックスｃのサブフレームインデックスｉでのＰＵＣＣＨの伝送電力であり、
【００４９】
【化３４】
0005966043.tif 000035
は、端末が伝送可能な最大伝送電力であり、
【００５０】
【化３５】
0005966043.tif 000036
は、
【００５１】
【化３６】
0005966043.tif 000037
の線形値であり、
【００５２】
【化３７】
0005966043.tif 000038
は、サブフレームインデックスｉでのＲＡＣＨの伝送電力である
【００５３】
【化３８】
0005966043.tif 000039
の線形値であり、ＭＰＵＳＣＨ，ｃ(ｉ)は、特定セルインデックスｃのインデックスｉのサブフレームに対して有効なリソースブロック数で表現されたＰＵＳＣＨリソース割当の帯域幅を表すパラメータであり、
【００５４】
【化３９】
0005966043.tif 000040
は、特定セルインデックスｃの上位レイヤから提供されたセル−特定ノミナルコンポーネント（ｎｏｍｉｎａｌ  ｃｏｍｐｏｎｅｎｔ）
【００５５】
【化４０】
0005966043.tif 000041
と上位レイヤから提供された端末−特定コンポーネント
【００５６】
【化４１】
0005966043.tif 000042
との和で構成されたパラメータであり、
【００５７】
【化４２】
0005966043.tif 000043
は、セル−特定パラメータであり、
【００５８】
【化４３】
0005966043.tif 000044
は、特定セルインデックスｃの端末がｄＢ単位で計算した下りリンク経路損失推定値であり、
【００５９】
【化４４】
0005966043.tif 000045
は、特定セルインデックスｃのサブフレームインデックスｉに対して現在ＰＵＳＣＨパワー制御調整状態を表す値であり、
【００６０】
【化４５】
0005966043.tif 000046
は、前記特定セルインデックスｃの一つのコードワードに対する値である。
【００６１】
好適には、ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、前記ＴＡグループ１に属しているＰＵＣＣＨと同時伝送するセルのＰＵＳＣＨ伝送電力は、下記の式Ｄによって制御する：
【００６２】
【化４６】
0005966043.tif 000047
ここで、
【００６３】
【化４７】
0005966043.tif 000048
は、前記特定セルインデックスであり、
【００６４】
【化４８】
0005966043.tif 000049
は、サブフレームインデックスであり、
【００６５】
【化４９】
0005966043.tif 000050
は、前記特定セルインデックスｃのサブフレームインデックスｉでのＰＵＣＣＨの伝送電力であり、
【００６６】
【化５０】
0005966043.tif 000051
は、端末が伝送可能な最大伝送電力であり、
【００６７】
【化５１】
0005966043.tif 000052
の線形値であり、
【００６８】
【化５２】
0005966043.tif 000053
は、サブフレームインデックスｉでのＲＡＣＨの伝送電力である
【００６９】
【化５３】
0005966043.tif 000054
の線形値であり、ＭＰＵＳＣＨ，ｃ(ｉ)は、特定セルインデックスｃのインデックスｉのサブフレームに対して有効なリソースブロック数で表現されたＰＵＳＣＨリソース割当の帯域幅を表すパラメータであり、
【００７０】
【化５４】
0005966043.tif 000055
は、ＰＵＣＣＨの伝送電力の線形値であり、
【００７１】
【化５５】
0005966043.tif 000056
は、特定セルインデックスｃの上位レイヤから提供されたセル−特定ノミナルコンポーネント（ｎｏｍｉｎａｌ  ｃｏｍｐｏｎｅｎｔ）
【００７２】
【化５６】
0005966043.tif 000057
と上位レイヤから提供された端末−特定コンポーネント
【００７３】
【化５７】
0005966043.tif 000058
との和で構成されたパラメータであり、
【００７４】
【化５８】
0005966043.tif 000059
は、セル−特定パラメータであり、
【００７５】
【化５９】
0005966043.tif 000060
は特定セルインデックスｃの端末がｄＢ単位で計算した下りリンク経路損失推定値であり、
【００７６】
【化６０】
0005966043.tif 000061
は、特定セルインデックスｃのサブフレームインデックスｉに対して現在ＰＵＳＣＨパワー制御調整状態を表す値であり、
【００７７】
【化６１】
0005966043.tif 000062
は、前記特定セルインデックスｃの一つのコードワードに対する値である。
【００７８】
本発明の他の態様として、無線通信システムにおいて一つ以上のセルを含むＴＡ（Ｔｉｍｉｎｇ  Ａｌｉｇｎｍｅｎｔ）グループが複数個ある場合に、各ＴＡグループに属したセルと通信する端末の上りリンク伝送電力制御において、前記複数個のＴＡグループに属した各特定セルでＰＵＣＣＨ（Ｐｈｙｓｉｃａｌ  Ｕｐｌｉｎｋ  Ｃｏｎｔｒｏｌ  Ｃｈａｎｎｅｌ）、複数のＵＣＩ（Ｕｐｌｉｎｋ  Ｃｏｎｔｒｏｌ  Ｉｎｆｏｒｍａｔｉｏｎ）を含んでいるＰＵＳＣＨ（Ｐｈｙｓｉｃａｌ  Ｕｐｌｉｎｋ  Ｓｈａｒｅｄ  Ｃｈａｎｎｅｌ）、ＵＣＩを含んでいないＰＵＳＣＨ、ＰＲＡＣＨ（Ｐｈｙｓｉｃａｌ  Ｒａｎｄｏｍ  Ａｃｃｅｓｓ  Ｃｈａｎｎｅｌ）、ＳＲＳ（Ｓｏｕｎｄｉｎｇ  Ｒｅｆｅｒｅｎｃｅ  Ｓｉｇｎａｌ）のうち少なくとも２つのチャネルが同一のサブフレームで同時に伝送される場合に、前記少なくとも一つのチャネルに対する上りリンク伝送電力を決定するプロセッサと、前記決定された上りリンク伝送電力で前記少なくとも一つのチャネルを伝送する送信部と、を備えるように構成され、前記上りリンク伝送電力は、ＴＡグループインデックスを考慮して決定される、端末装置を提供する。
【００７９】
好適には、前記ＰＲＡＣＨと、前記ＰＵＣＣＨ、前記ＰＵＳＣＨ及び前記ＳＲＳとが互いに異なるＴＡグループに属しており、互いに異なるセカンダリセル（Ｓｅｃｏｎｄａｒｙ  Ｃｅｌｌ）で伝送される場合に、前記ＰＲＡＣＨの伝送優先順位を最優先とする。
【００８０】
好適には、ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、前記ＴＡグループ２に属しているセルのＰＲＡＣＨ伝送電力は下記の式Ａによって制御する端末である：
【００８１】
【化６２】
0005966043.tif 000063
ここで、
【００８２】
【化６３】
0005966043.tif 000064
は、前記特定セルインデックスであり、
【００８３】
【化６４】
0005966043.tif 000065
は、サブフレームインデックスであり、
【００８４】
【化６５】
0005966043.tif 000066
は、端末が伝送可能な最大伝送電力であり、
【００８５】
【化６６】
0005966043.tif 000067
は、ＲＡＣＨプリアンブルの受信電力を表し、ＰＬｃは、特定セルインデックスｃの端末の下りリンク経路損失推定値であり、
【００８６】
【化６７】
0005966043.tif 000068
は、基準ＴＡグループで行った最初プリアンブルから最後のブリアンブルまでのランプ−アップ（ｒａｍｐ−ｕｐ）された全体電力である。
【００８７】
好適には、上記の式Ａの
【００８８】
【化６８】
0005966043.tif 000069
に、ＴＡグループ別に適用した
【００８９】
【化６９】
0005966043.tif 000070
を適用する。
【００９０】
好適には、前記
【００９１】
【化７０】
0005966043.tif 000071
は、上位層、ＴＡグループ特定、端末特定のうち少なくとも一つの値でシグナリングする。
【００９２】
好適には、ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、前記ＴＡグループ１に属しているセルのＰＵＣＣＨ伝送電力は下記の式Ｂによって制御する端末である：
【００９３】
【化７１】
0005966043.tif 000072
ここで、
【００９４】
【化７２】
0005966043.tif 000073
は、前記特定セルインデックスであり、
【００９５】
【化７３】
0005966043.tif 000074
は、サブフレームインデックスであり、
【００９６】
【化７４】
0005966043.tif 000075
は、前記特定セルインデックスｃのサブフレームインデックスｉでのＰＵＣＣＨの伝送電力であり、
【００９７】
【化７５】
0005966043.tif 000076
は、端末が伝送可能な最大伝送電力であり、
【００９８】
【化７６】
0005966043.tif 000077
の線形値であり、
【００９９】
【化７７】
0005966043.tif 000078
は、サブフレームインデックスｉでのＲＡＣＨの伝送電力である
【０１００】
【化７８】
0005966043.tif 000079
の線形値であり、
【０１０１】
【化７９】
0005966043.tif 000080
は、特定セルインデックスｃの上位レイヤから提供されたセル−特定ノミナルコンポーネント（ｎｏｍｉｎａｌ  ｃｏｍｐｏｎｅｎｔ）
【０１０２】
【化８０】
0005966043.tif 000081
と上位レイヤから提供された端末−特定コンポーネント
【０１０３】
【化８１】
0005966043.tif 000082
との和で構成されたパラメータであり、
【０１０４】
【化８２】
0005966043.tif 000083
は、セル−特定パラメータであり、
【０１０５】
【化８３】
0005966043.tif 000084
は、特定セルインデックスｃの端末がｄＢ単位で計算した下りリンク経路損失推定値であり、
【０１０６】
【化８４】
0005966043.tif 000085
は、ＰＵＣＣＨフォーマットによって変わる値であり、
【０１０７】
【化８５】
0005966043.tif 000086
は、チャネル品質情報（ＣＱＩ）に対する情報ビットの数であり、
【０１０８】
【化８６】
0005966043.tif 000087
は、ＨＡＲＱビットの数であり、
【０１０９】
【化８７】
0005966043.tif 000088
は、特定サブフレームがＰＵＳＣＨの伝送ブロック（ｔｒａｎｓｐｏｒｔ  ｂｌｏｃｋ）を有するか否かを表す値であり、
【０１１０】
【化８８】
0005966043.tif 000089
値は、ＰＵＣＣＨフォーマット１ａに対して相対的な値であり、
【０１１１】
【化８９】
0005966043.tif 000090
は、インデックスｉサブフレームの現在ＰＵＣＣＨ電力制御調整状態を表す値であり、
【０１１２】
【化９０】
0005966043.tif 000091
は、ＰＵＣＣＨが２個のアンテナポートで伝送されるように端末が構成された場合に、それぞれのＰＵＣＣＨｆｏｒｍａｔ Ｆ’が定義された上位層により定められる値である。
【０１１３】
好適には、ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、前記ＴＡグループ１に属しているＰＵＣＣＨと同時伝送しないセルのＰＵＳＣＨ伝送電力は下記の式Ｃによって制御する端末である：
【０１１４】
【化９１】
0005966043.tif 000092
ここで、
【０１１５】
【化９２】
0005966043.tif 000093
は、前記特定セルインデックスであり、
【０１１６】
【化９３】
0005966043.tif 000094
は、サブフレームインデックスであり、
【０１１７】
【化９４】
0005966043.tif 000095
は、前記特定セルインデックスｃのサブフレームインデックスｉでのＰＵＣＣＨの伝送電力であり、
【０１１８】
【化９５】
0005966043.tif 000096
は、端末が伝送可能な最大伝送電力であり、
【０１１９】
【化９６】
0005966043.tif 000097
の線形値であり、
【０１２０】
【化９７】
0005966043.tif 000098
は、サブフレームインデックスｉでのＲＡＣＨの伝送電力である
【０１２１】
【化９８】
0005966043.tif 000099
の線形値であり、ＭＰＵＳＣＨ，ｃ(ｉ)は、特定セルインデックスｃのインデックスｉのサブフレームに対して有効なリソースブロック数で表現されたＰＵＳＣＨリソース割当の帯域幅を表すパラメータであり、
【０１２２】
【化９９】
0005966043.tif 000100
は、特定セルインデックスｃの上位レイヤから提供されたセル−特定ノミナルコンポーネント（ｎｏｍｉｎａｌ  ｃｏｍｐｏｎｅｎｔ）
【０１２３】
【化１００】
0005966043.tif 000101
と上位レイヤから提供された端末−特定コンポーネント
【０１２４】
【化１０１】
0005966043.tif 000102
との和で構成されたパラメータであり、
【０１２５】
【化１０２】
0005966043.tif 000103
は、セル−特定パラメータであり、
【０１２６】
【化１０３】
0005966043.tif 000104
は、特定セルインデックスｃの端末がｄＢ単位で計算した下りリンク経路損失推定値であり、
【０１２７】
【化１０４】
0005966043.tif 000105
は、特定セルインデックスｃのサブフレームインデックスｉに対して現在ＰＵＳＣＨパワー制御調整状態を表す値であり、
【０１２８】
【化１０５】
0005966043.tif 000106
は、前記特定セルインデックスｃの一つのコードワードに対する値である。
【０１２９】
好適には、ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、前記ＴＡグループ１に属しているＰＵＣＣＨと同時伝送するセルのＰＵＳＣＨ伝送電力は下記の式Ｄによって制御する端末である：
【０１３０】
【化１０６】
0005966043.tif 000107
ここで、
【０１３１】
【化１０７】
0005966043.tif 000108
は、前記特定セルインデックスであり、
【０１３２】
【化１０８】
0005966043.tif 000109
は、サブフレームインデックスであり、
【０１３３】
【化１０９】
0005966043.tif 000110
は、前記特定セルインデックスｃのサブフレームインデックスｉでのＰＵＣＣＨの伝送電力であり、
【０１３４】
【化１１０】
0005966043.tif 000111
は、端末が伝送可能な最大伝送電力であり、
【０１３５】
【化１１１】
0005966043.tif 000112
の線形値であり、
【０１３６】
【化１１２】
0005966043.tif 000113
は、サブフレームインデックスｉでのＲＡＣＨの伝送電力である
【０１３７】
【化１１３】
0005966043.tif 000114
の線形値であり、ＭＰＵＳＣＨ，ｃ(ｉ)は、特定セルインデックスｃのインデックスｉのサブフレームに対して有効なリソースブロック数で表現されたＰＵＳＣＨリソース割当の帯域幅を表すパラメータであり、
【０１３８】
【化１１４】
0005966043.tif 000115
は、ＰＵＣＣＨの伝送電力の線形値であり、
【０１３９】
【化１１５】
0005966043.tif 000116
は、特定セルインデックスｃの上位レイヤから提供されたセル−特定ノミナルコンポーネント（ｎｏｍｉｎａｌ  ｃｏｍｐｏｎｅｎｔ）
【０１４０】
【化１１６】
0005966043.tif 000117
と上位レイヤから提供された端末−特定コンポーネント
【０１４１】
【化１１７】
0005966043.tif 000118
との和で構成されたパラメータであり、
【０１４２】
【化１１８】
0005966043.tif 000119
は、セル−特定パラメータであり、
【０１４３】
【化１１９】
0005966043.tif 000120
は特定セルインデックスｃの端末がｄＢ単位で計算した下りリンク経路損失推定値であり、
【０１４４】
【化１２０】
0005966043.tif 000121
は、特定セルインデックスｃのサブフレームインデックスｉに対して現在ＰＵＳＣＨパワー制御調整状態を表す値であり、
【０１４５】
【化１２１】
0005966043.tif 000122
は、前記特定セルインデックスｃの一つのコードワードに対する値である。
例えば、本願発明は以下の項目を提供する。
（項目１）
無線通信システムにおいて一つ以上のセルを含むＴＡ（Ｔｉｍｉｎｇ  Ａｌｉｇｎｍｅｎｔ）グループが複数個ある場合に、各ＴＡグループに属したセルと通信する端末の上りリンク伝送電力制御方法であって、
前記複数個のＴＡグループに属した各特定セルでＰＵＣＣＨ（Ｐｈｙｓｉｃａｌ  Ｕｐｌｉｎｋ  Ｃｏｎｔｒｏｌ  Ｃｈａｎｎｅｌ）、複数のＵＣＩ（Ｕｐｌｉｎｋ  Ｃｏｎｔｒｏｌ  Ｉｎｆｏｒｍａｔｉｏｎ）を含んでいるＰＵＳＣＨ（Ｐｈｙｓｉｃａｌ  Ｕｐｌｉｎｋ  Ｓｈａｒｅｄ  Ｃｈａｎｎｅｌ）、ＵＣＩを含んでいないＰＵＳＣＨ、ＰＲＡＣＨ（Ｐｈｙｓｉｃａｌ  Ｒａｎｄｏｍ  Ａｃｃｅｓｓ  Ｃｈａｎｎｅｌ）、ＳＲＳ（Ｓｏｕｎｄｉｎｇ  Ｒｅｆｅｒｅｎｃｅ  Ｓｉｇｎａｌ）のうち少なくとも２つのチャネルが同一のサブフレームで同時に伝送される場合に、前記少なくとも一つのチャネルに対する上りリンク伝送電力を決定することと、
前記決定された上りリンク伝送電力で前記少なくとも一つのチャネルを伝送することと、を含み、
前記上りリンク伝送電力は、ＴＡグループインデックスを考慮して決定される、上りリンク伝送電力制御方法。
（項目２）
前記ＰＲＡＣＨと、前記ＰＵＣＣＨ、前記ＰＵＳＣＨ及び前記ＳＲＳとが互いに異なるＴＡグループに属しており、互いに異なるセカンダリセル（Ｓｅｃｏｎｄａｒｙ  Ｃｅｌｌ）で伝送される場合に、前記ＰＲＡＣＨの伝送優先順位を最優先とする、項目１に記載の上りリンク伝送電力制御方法。
（項目３）
ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、
前記ＴＡグループ２に属しているセルのＰＲＡＣＨ伝送電力は、下記の式Ａによって制御する、項目１に記載の上りリンク伝送電力制御方法：
【化２１４】
0005966043.tif 000123
ここで、
【化２１５】
0005966043.tif 000124
は、前記特定セルインデックスであり、
【化２１６】
0005966043.tif 000125
は、サブフレームインデックスであり、
【化２１７】
0005966043.tif 000126
は、端末が伝送可能な最大伝送電力であり、
【化２１８】
0005966043.tif 000127
は、ＲＡＣＨプリアンブルの受信電力を表し、ＰＬｃは、特定セルインデックスｃの端末の下りリンク経路損失推定値であり、
【化２１９】
0005966043.tif 000128
は、基準ＴＡグループで行った最初プリアンブルから最後のブリアンブルまでのランプ−アップ（ｒａｍｐ−ｕｐ）された全体電力である。
（項目４）
上記の式Ａの
【化２２０】
0005966043.tif 000129
に、ＴＡグループ別に適用した
【化２２１】
0005966043.tif 000130
を適用する、項目３に記載の上りリンク伝送電力制御方法。
（項目５）
前記
【化２２２】
0005966043.tif 000131
は、上位層、ＴＡグループ特定、端末特定のうち少なくとも一つの値でシグナリングする、項目４に記載の上りリンク伝送電力制御方法。
（項目６）
ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、
前記ＴＡグループ１に属しているセルのＰＵＣＣＨ伝送電力は、下記の式Ｂによって制御する、項目１に記載の上りリンク伝送電力制御方法：
【化２２３】
0005966043.tif 000132
ここで、
【化２２４】
0005966043.tif 000133
は、前記特定セルインデックスであり、
【化２２５】
0005966043.tif 000134
は、サブフレームインデックスであり、
【化２２６】
0005966043.tif 000135
は、前記特定セルインデックスｃのサブフレームインデックスｉでのＰＵＣＣＨの伝送電力であり、
【化２２７】
0005966043.tif 000136
は、端末が伝送可能な最大伝送電力であり、
【化２２８】
0005966043.tif 000137
の線形値であり、
【化２２９】
0005966043.tif 000138
は、サブフレームインデックスｉでのＲＡＣＨの伝送電力である
【化２３０】
0005966043.tif 000139
の線形値であり、
【化２３１】
0005966043.tif 000140
は、特定セルインデックスｃの上位レイヤから提供されたセル−特定ノミナルコンポーネント（ｎｏｍｉｎａｌ  ｃｏｍｐｏｎｅｎｔ）
【化２３２】
0005966043.tif 000141
と上位レイヤから提供された端末−特定コンポーネント
【化２３３】
0005966043.tif 000142
との和で構成されたパラメータであり、
【化２３４】
0005966043.tif 000143
は、セル−特定パラメータであり、
【化２３５】
0005966043.tif 000144
は、特定セルインデックスｃの端末がｄＢ単位で計算した下りリンク経路損失推定値であり、
【化２３６】
0005966043.tif 000145
は、ＰＵＣＣＨフォーマットによって変わる値であり、
【化２３７】
0005966043.tif 000146
は、チャネル品質情報（ＣＱＩ）に対する情報ビットの数であり、
【化２３８】
0005966043.tif 000147
は、ＨＡＲＱビットの数であり、
【化２３９】
0005966043.tif 000148
は、特定サブフレームがＰＵＳＣＨの伝送ブロック（ｔｒａｎｓｐｏｒｔ  ｂｌｏｃｋ）を有するか否かを表す値であり、
【化２４０】
0005966043.tif 000149
値は、ＰＵＣＣＨフォーマット１ａに対して相対的な値であり、
【化２４１】
0005966043.tif 000150
は、インデックスｉサブフレームの現在ＰＵＣＣＨ電力制御調整状態を表す値であり、
【化２４２】
0005966043.tif 000151
は、ＰＵＣＣＨが２個のアンテナポートで伝送されるように端末が構成された場合に、それぞれのＰＵＣＣＨｆｏｒｍａｔ Ｆ’が定義された上位層により定められる値である。
（項目７）
ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、
前記ＴＡグループ１に属しているＰＵＣＣＨと同時伝送しないセルのＰＵＳＣＨ伝送電力は、下記の式Ｃによって制御する、項目１に記載の上りリンク伝送電力制御方法：
【化２４３】
0005966043.tif 000152
ここで、
【化２４４】
0005966043.tif 000153
は、前記特定セルインデックスであり、
【化２４５】
0005966043.tif 000154
は、サブフレームインデックスであり、
【化２４６】
0005966043.tif 000155
は、前記特定セルインデックスｃのサブフレームインデックスｉでのＰＵＣＣＨの伝送電力であり、
【化２４７】
0005966043.tif 000156
は、端末が伝送可能な最大伝送電力であり、
【化２４８】
0005966043.tif 000157
の線形値であり、
【化２４９】
0005966043.tif 000158
は、サブフレームインデックスｉでのＲＡＣＨの伝送電力である
【化２５０】
0005966043.tif 000159
の線形値であり、ＭＰＵＳＣＨ，ｃ(ｉ)は、特定セルインデックスｃのインデックスｉのサブフレームに対して有効なリソースブロック数で表現されたＰＵＳＣＨリソース割当の帯域幅を表すパラメータであり、
【化２５１】
0005966043.tif 000160
は、特定セルインデックスｃの上位レイヤから提供されたセル−特定ノミナルコンポーネント（ｎｏｍｉｎａｌ  ｃｏｍｐｏｎｅｎｔ）
【化２５２】
0005966043.tif 000161
と上位レイヤから提供された端末−特定コンポーネント
【化２５３】
0005966043.tif 000162
との和で構成されたパラメータであり、
【化２５４】
0005966043.tif 000163
は、セル−特定パラメータであり、
【化２５５】
0005966043.tif 000164
は、特定セルインデックスｃの端末がｄＢ単位で計算した下りリンク経路損失推定値であり、
【化２５６】
0005966043.tif 000165
は、特定セルインデックスｃのサブフレームインデックスｉに対して現在ＰＵＳＣＨパワー制御調整状態を表す値であり、
【化２５７】
0005966043.tif 000166
は、前記特定セルインデックスｃの一つのコードワードに対する値である。
（項目８）
ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、
前記ＴＡグループ１に属しているＰＵＣＣＨと同時伝送するセルのＰＵＳＣＨ伝送電力は、下記の式Ｄによって制御する、項目１に記載の上りリンク伝送電力制御方法：
【化２５８】
0005966043.tif 000167
ここで、
【化２５９】
0005966043.tif 000168
は、前記特定セルインデックスであり、
【化２６０】
0005966043.tif 000169
は、サブフレームインデックスであり、
【化２６１】
0005966043.tif 000170
は、前記特定セルインデックスｃのサブフレームインデックスｉでのＰＵＣＣＨの伝送電力であり、
【化２６２】
0005966043.tif 000171
は、端末が伝送可能な最大伝送電力であり、
【化２６３】
0005966043.tif 000172
の線形値であり、
【化２６４】
0005966043.tif 000173
は、サブフレームインデックスｉでのＲＡＣＨの伝送電力である
【化２６５】
0005966043.tif 000174
の線形値であり、ＭＰＵＳＣＨ，ｃ(ｉ)は、特定セルインデックスｃのインデックスｉのサブフレームに対して有効なリソースブロック数で表現されたＰＵＳＣＨリソース割当の帯域幅を表すパラメータであり、
【化２６６】
0005966043.tif 000175
は、ＰＵＣＣＨの伝送電力の線形値であり、
【化２６７】
0005966043.tif 000176
は、特定セルインデックスｃの上位レイヤから提供されたセル−特定ノミナルコンポーネント（ｎｏｍｉｎａｌ  ｃｏｍｐｏｎｅｎｔ）
【化２６８】
0005966043.tif 000177
と上位レイヤから提供された端末−特定コンポーネント
【化２６９】
0005966043.tif 000178
との和で構成されたパラメータであり、
【化２７０】
0005966043.tif 000179
は、セル−特定パラメータであり、
【化２７１】
0005966043.tif 000180
は特定セルインデックスｃの端末がｄＢ単位で計算した下りリンク経路損失推定値であり、
【化２７２】
0005966043.tif 000181
は、特定セルインデックスｃのサブフレームインデックスｉに対して現在ＰＵＳＣＨパワー制御調整状態を表す値であり、
【化２７３】
0005966043.tif 000182
は、前記特定セルインデックスｃの一つのコードワードに対する値である。
（項目９）
無線通信システムにおいて一つ以上のセルを含むＴＡ（Ｔｉｍｉｎｇ  Ａｌｉｇｎｍｅｎｔ）グループが複数個ある場合に、各ＴＡグループに属したセルと通信する端末の上りリンク伝送電力制御において、
前記複数個のＴＡグループに属した各特定セルでＰＵＣＣＨ（Ｐｈｙｓｉｃａｌ  Ｕｐｌｉｎｋ  Ｃｏｎｔｒｏｌ  Ｃｈａｎｎｅｌ）、複数のＵＣＩ（Ｕｐｌｉｎｋ  Ｃｏｎｔｒｏｌ  Ｉｎｆｏｒｍａｔｉｏｎ）を含んでいるＰＵＳＣＨ（Ｐｈｙｓｉｃａｌ  Ｕｐｌｉｎｋ  Ｓｈａｒｅｄ  Ｃｈａｎｎｅｌ）、ＵＣＩを含んでいないＰＵＳＣＨ、ＰＲＡＣＨ（Ｐｈｙｓｉｃａｌ  Ｒａｎｄｏｍ  Ａｃｃｅｓｓ  Ｃｈａｎｎｅｌ）、ＳＲＳ（Ｓｏｕｎｄｉｎｇ  Ｒｅｆｅｒｅｎｃｅ  Ｓｉｇｎａｌ）のうち少なくとも２つのチャネルが同一のサブフレームで同時に伝送される場合に、前記少なくとも一つのチャネルに対する上りリンク伝送電力を決定するプロセッサと、
前記決定された上りリンク伝送電力で前記少なくとも一つのチャネルを伝送する送信部と、
を備えるように構成され、
前記上りリンク伝送電力は、ＴＡグループインデックスを考慮して決定される、端末。
（項目１０）
前記ＰＲＡＣＨと、前記ＰＵＣＣＨ、前記ＰＵＳＣＨ及び前記ＳＲＳとが互いに異なるＴＡグループに属しており、互いに異なるセカンダリセル（Ｓｅｃｏｎｄａｒｙ  Ｃｅｌｌ）で伝送される場合に、前記ＰＲＡＣＨの伝送優先順位を最優先とする、項目９に記載の端末。
（項目１１）
ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、
前記ＴＡグループ２に属しているセルのＰＲＡＣＨ伝送電力は、下記の式Ａによって制御する、項目９に記載の端末：
【化２７４】
0005966043.tif 000183
ここで、
【化２７５】
0005966043.tif 000184
は、前記特定セルインデックスであり、
【化２７６】
0005966043.tif 000185
は、サブフレームインデックスであり、
【化２７７】
0005966043.tif 000186
は、端末が伝送可能な最大伝送電力であり、
【化２７８】
0005966043.tif 000187
は、ＲＡＣＨプリアンブルの受信電力を表し、ＰＬｃは、特定セルインデックスｃの端末の下りリンク経路損失推定値であり、
【化２７９】
0005966043.tif 000188
は、基準ＴＡグループで行った最初プリアンブルから最後のブリアンブルまでのランプ−アップ（ｒａｍｐ−ｕｐ）された全体電力である。
（項目１２）
上記の式Ａの
【化２８０】
0005966043.tif 000189
に、ＴＡグループ別に適用した
【化２８１】
0005966043.tif 000190
を適用する、項目１１に記載の端末。
（項目１３）
前記
【化２８２】
0005966043.tif 000191
は、上位層、ＴＡグループ特定、端末特定のうち少なくとも一つの値でシグナリングする、項目１２に記載の端末。
（項目１４）
ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、
前記ＴＡグループ１に属しているセルのＰＵＣＣＨ伝送電力は、下記の式Ｂによって制御する、項目９に記載の端末：
【化２８３】
0005966043.tif 000192
ここで、
【化２８４】
0005966043.tif 000193
は、前記特定セルインデックスであり、
【化２８５】
0005966043.tif 000194
は、サブフレームインデックスであり、
【化２８６】
0005966043.tif 000195
は、前記特定セルインデックスｃのサブフレームインデックスｉでのＰＵＣＣＨの伝送電力であり、
【化２８７】
0005966043.tif 000196
は、端末が伝送可能な最大伝送電力であり、
【化２８８】
0005966043.tif 000197
の線形値であり、
【化２８９】
0005966043.tif 000198
は、サブフレームインデックスｉでのＲＡＣＨの伝送電力である
【化２９０】
0005966043.tif 000199
の線形値であり、
【化２９１】
0005966043.tif 000200
は、特定セルインデックスｃの上位レイヤから提供されたセル−特定ノミナルコンポーネント（ｎｏｍｉｎａｌ  ｃｏｍｐｏｎｅｎｔ）
【化２９２】
0005966043.tif 000201
と上位レイヤから提供された端末−特定コンポーネント
【化２９３】
0005966043.tif 000202
との和で構成されたパラメータであり、
【化２９４】
0005966043.tif 000203
は、セル−特定パラメータであり、
【化２９５】
0005966043.tif 000204
は、特定セルインデックスｃの端末がｄＢ単位で計算した下りリンク経路損失推定値であり、
【化２９６】
0005966043.tif 000205
は、ＰＵＣＣＨフォーマットによって変わる値であり、
【化２９７】
0005966043.tif 000206
は、チャネル品質情報（ＣＱＩ）に対する情報ビットの数であり、
【化２９８】
0005966043.tif 000207
は、ＨＡＲＱビットの数であり、
【化２９９】
0005966043.tif 000208
は、特定サブフレームがＰＵＳＣＨの伝送ブロック（ｔｒａｎｓｐｏｒｔ  ｂｌｏｃｋ）を有するか否かを表す値であり、
【化３００】
0005966043.tif 000209
は、ＰＵＣＣＨフォーマット１ａに対して相対的な値であり、
【化３０１】
0005966043.tif 000210
は、インデックスｉサブフレームの現在ＰＵＣＣＨ電力制御調整状態を表す値であり、
【化３０２】
0005966043.tif 000211
は、ＰＵＣＣＨが２個のアンテナポートで伝送されるように端末が構成された場合に、それぞれのＰＵＣＣＨｆｏｒｍａｔ Ｆ’が定義された上位層により定められる値である。
（項目１５）
ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、
前記ＴＡグループ１に属しているＰＵＣＣＨと同時伝送しないセルのＰＵＳＣＨ伝送電力は、下記の式Ｃによって制御する、項目９に記載の端末：
【化３０３】
0005966043.tif 000212
ここで、
【化３０４】
0005966043.tif 000213
は、前記特定セルインデックスであり、
【化３０５】
0005966043.tif 000214
は、サブフレームインデックスであり、
【化３０６】
0005966043.tif 000215
は、前記特定セルインデックスｃのサブフレームインデックスｉでのＰＵＣＣＨの伝送電力であり、
【化３０７】
0005966043.tif 000216
は、端末が伝送可能な最大伝送電力であり、
【化３０８】
0005966043.tif 000217
の線形値であり、
【化３０９】
0005966043.tif 000218
は、サブフレームインデックスｉでのＲＡＣＨの伝送電力である
【化３１０】
0005966043.tif 000219
の線形値であり、ＭＰＵＳＣＨ，ｃ(ｉ)は、特定セルインデックスｃのインデックスｉのサブフレームに対して有効なリソースブロック数で表現されたＰＵＳＣＨリソース割当の帯域幅を表すパラメータであり、
【化３１１】
0005966043.tif 000220
は、特定セルインデックスｃの上位レイヤから提供されたセル−特定ノミナルコンポーネント（ｎｏｍｉｎａｌ  ｃｏｍｐｏｎｅｎｔ）
【化３１２】
0005966043.tif 000221
と上位レイヤから提供された端末−特定コンポーネント
【化３１３】
0005966043.tif 000222
との和で構成されたパラメータであり、
【化３１４】
0005966043.tif 000223
は、セル−特定パラメータであり、
【化３１５】
0005966043.tif 000224
は、特定セルインデックスｃの端末がｄＢ単位で計算した下りリンク経路損失推定値であり、
【化３１６】
0005966043.tif 000225
は、特定セルインデックスｃのサブフレームインデックスｉに対して現在ＰＵＳＣＨパワー制御調整状態を表す値であり、
【化３１７】
0005966043.tif 000226
は、前記特定セルインデックスｃの一つのコードワードに対する値である。
（項目１６）
ＰＵＣＣＨ及びＰＵＳＣＨを伝送するセルとＰＵＳＣＨを伝送するセルがＴＡグループ１に属しており、ＰＲＡＣＨを伝送するセルがＴＡグループ２に属している場合に、
前記ＴＡグループ１に属しているＰＵＣＣＨと同時伝送するセルのＰＵＳＣＨ伝送電力は、下記の式Ｄによって制御する、項目９に記載の端末：
【化３１８】
0005966043.tif 000227
ここで、
【化３１９】
0005966043.tif 000228
は、前記特定セルインデックスであり、
【化３２０】
0005966043.tif 000229
は、サブフレームインデックスであり、
【化３２１】
0005966043.tif 000230
は、前記特定セルインデックスｃのサブフレームインデックスｉでのＰＵＣＣＨの伝送電力であり、
【化３２２】
0005966043.tif 000231
は、端末が伝送可能な最大伝送電力であり、
【化３２３】
0005966043.tif 000232
の線形値であり、
【化３２４】
0005966043.tif 000233
は、サブフレームインデックスｉでのＲＡＣＨの伝送電力である
【化３２５】
0005966043.tif 000234
の線形値であり、ＭＰＵＳＣＨ，ｃ(ｉ)は、特定セルインデックスｃのインデックスｉのサブフレームに対して有効なリソースブロック数で表現されたＰＵＳＣＨリソース割当の帯域幅を表すパラメータであり、
【化３２６】
0005966043.tif 000235
は、ＰＵＣＣＨの伝送電力の線形値であり、
【化３２７】
0005966043.tif 000236
は、特定セルインデックスｃの上位レイヤから提供されたセル−特定ノミナルコンポーネント（ｎｏｍｉｎａｌ  ｃｏｍｐｏｎｅｎｔ）
【化３２８】
0005966043.tif 000237
と上位レイヤから提供された端末−特定コンポーネント
【化３２９】
0005966043.tif 000238
との和で構成されたパラメータであり、
【化３３０】
0005966043.tif 000239
は、セル−特定パラメータであり、
【化３３１】
0005966043.tif 000240
は特定セルインデックスｃの端末がｄＢ単位で計算した下りリンク経路損失推定値であり、
【化３３２】
0005966043.tif 000241
は、特定セルインデックスｃのサブフレームインデックスｉに対して現在ＰＵＳＣＨパワー制御調整状態を表す値であり、
【化３３３】
0005966043.tif 000242
は、前記特定セルインデックスｃの一つのコードワードに対する値である。
【発明の効果】
【０１４６】
本発明に係る伝送電力制御方法によれば、複数のＴＡグループに属した各セルで上りリンク信号が同時伝送される場合に、端末の伝送電力を設定することができる。
【０１４７】
本発明で得られる効果は以上で言及した効果に制限されず、言及していない別の効果は、下の記載から、本発明の属する技術の分野における通常の知識を有する者には明らかに理解されるであろう。
【図面の簡単な説明】
【０１４８】
本発明に関する理解を助けるために詳細な説明の一部として含まれ、本発明の様々な実施例を提供し、且つ、詳細な説明と共に本発明の実施形態を説明するために用いられる、添付の図面は、下記の通りである。
【図１】無線通信システム１００における基地局１０５及び端末１１０の構成を示すブロック図である。
【図２】移動通信システムの一例である３ＧＰＰ ＬＴＥシステムで用いられる無線フレームの構造を例示する図である。
【図３】移動通信システムの一例である３ＧＰＰ ＬＴＥシステムの下りリンク及び上りリンクサブフレームの構造を示す図である。
【図４】３ＧＰＰ ＬＴＥシステムにおいて下りリンクの時間−周波数リソース格子構造（ｒｅｓｏｕｒｃｅ  ｇｒｉｄ  ｓｔｒｕｃｔｕｒｅ）を示す図である。
【図５】端末が上りリンク信号を伝送するための信号処理手順を説明するための図である。
【図６Ａ】基地局の多重キャリア（Ｍｕｌｔｉｐｌｅ  ｃａｒｒｉｅｒ）を説明するための図である。
【図６Ｂ】端末の多重キャリアを説明するための図である。
【図７Ａ】基地局の多重キャリアを説明するための図である。
【図７Ｂ】端末の多重キャリアを説明するための図である。
【図８Ａ】基地局の多重キャリアを説明するための図である。
【図８Ｂ】端末の多重キャリアを説明するための図である。
【図９】基地局及びＲＲＨ構造の一例を示す図である。
【発明を実施するための形態】
【０１４９】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明の実施が可能であるということが当業者には理解される。例えば、以下の詳細な説明は、移動通信システムが３ＧＰＰＬＴＥ、ＬＴＥ−Ａシステムである場合を取り上げて具体的に説明するが、３ＧＰＰＬＴＥ、ＬＴＥ−Ａシステム
特有の事項以外は、他の任意の無線通信システムにも同様の適用が可能である。
【０１５０】
場合によって、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【０１５１】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）などの、移動又は固定型のユーザー端の機器を総称するとする。本明細書では３ＧＰＰＬＴＥ、ＬＴＥ−Ａシステムに基づいて説明するが、本発明の内容は各種の他の通信システムにも適用可能である。
【０１５２】
移動通信システムにおいて、端末（Ｕｓｅｒ  Ｅｑｕｉｐｍｅｎｔ）は、基地局から下りリンク（Ｄｏｗｎｌｉｎｋ）で情報を受信でき、基地局に上りリンク（Ｕｐｌｉｎｋ）で情報を送信できる。端末が送信または受信する情報には、データ及び様々な制御情報があり、端末が送信または受信する情報の種類・用途によって様々な物理チャネルが存在する。
【０１５３】
図１は、無線通信システム１００において基地局１０５及び端末１１０の構成を示すブロック図である。
【０１５４】
無線通信システム１００を簡略に表すために一つの基地局１０５と一つの端末１１０を示しているが、無線通信システム１００は、一つ以上の基地局及び／又は一つ以上の端末を含む。
【０１５５】
図１を参照すると、基地局１０５は、送信（Ｔｘ）データプロセッサ１１５、シンボル変調器１２０、送信器１２５、送受信アンテナ１３０、プロセッサ１８０、メモリー１８５、受信器１９０、シンボル復調器１９５、受信データプロセッサ１９７を備えている。そして、端末１１０は、送信（Ｔｘ）データプロセッサ１６５、シンボル変調器１７０、送信器１７５、送受信アンテナ１３５、プロセッサ１５５、メモリー１６０、受信器１４０、シンボル復調器１４５、受信データプロセッサ１５０を備えている。送受信アンテナ１３０，１３５がそれぞれ基地局１０５及び端末１１０において１個のみ示されているが、基地局１０５及び端末１１０は複数個の送受信アンテナを備えている。したがって、本発明に係る基地局１０５及び端末１１０は、ＭＩＭＯ（Ｍｕｌｔｉｐｌｅ  Ｉｎｐｕｔ  Ｍｕｌｔｉｐｌｅ  Ｏｕｔｐｕｔ）システムを支援する。また、本発明に係る基地局１０５は、ＳＵ−ＭＩＭＯ（Ｓｉｎｇｌｅ  Ｕｓｅｒ−ＭＩＭＯ）も、ＭＵ−ＭＩＭＯ（Ｍｕｌｔｉ  Ｕｓｅｒ−ＭＩＭＯ）方式も支援可能である。
【０１５６】
下りリンク上で、送信データプロセッサ１１５は、トラフィックデータを受信し、受信したトラフィックデータをフォーマットしてコーディングし、コーディングされたトラフィックデータをインタリービングし変調して（又は、シンボルマッピングして）変調シンボル（「データシンボル」）を提供する。シンボル変調器１２０は、これらのデータシンボルとパイロットシンボルを受信及び処理し、これらシンボルのストリームを提供する。
【０１５７】
シンボル変調器１２０は、データ及びパイロットシンボルを多重化し、それを送信器１２５に伝送する。この時、それぞれの送信シンボルは、データシンボル、パイロットシンボル、又はゼロの信号値であってもよい。それぞれのシンボル周期において、パイロットシンボルが連続して送信されてもよい。パイロットシンボルは、周波数分割多重化（ＦＤＭ）、直交周波数分割多重化（ＯＦＤＭ）、時分割多重化（ＴＤＭ）、又はコード分割多重化（ＣＤＭ）シンボルであってよい。
【０１５８】
送信器１２５は、シンボルのストリームを受信してそれを一つ以上のアナログ信号に変換し、また、このアナログ信号をさらに調節し（例えば、増幅、フィルタリング、及び周波数アップコンバーティング（ｕｐｃｏｎｖｅｒｔｉｎｇ）し）、無線チャネルによる送信に適した下りリンク信号を発生させる。すると、送信アンテナ１３０は、発生した下りリンク信号を端末に伝送する。
【０１５９】
端末１１０の構成において、受信アンテナ１３５は、基地局からの下りリンク信号を受信し、受信した信号を受信器１４０に提供する。受信器１４０は、受信した信号を調整し（例えば、フィルタリング、増幅、及び周波数ダウンコンバーティング（ｄｏｗｎｃｏｎｖｅｒｔｉｎｇ）し）、調整された信号をデジタル化してサンプルを獲得する。シンボル復調器１４５は、受信したパイロットシンボルを復調し、これをチャネル推定のためにプロセッサ１５５に提供する。
【０１６０】
また、シンボル復調器１４５は、プロセッサ１５５から下りリンクに対する周波数応答推定値を受信し、受信したデータシンボルにデータ復調を行うことで（送信したデータシンボルの推定値である）データシンボル推定値を獲得し、データシンボル推定値を受信（Ｒｘ）データプロセッサ１５０に提供する。受信データプロセッサ１５０は、データシンボル推定値を復調（すなわち、シンボルデ−マッピング（ｄｅｍａｐｐｉｎｇ））し、デインタリービング（ｄｅｉｎｔｅｒｌｅａｖｉｎｇ）し、デコーディングすることで、伝送されたトラフィックデータを復旧する。
【０１６１】
シンボル復調器１４５及び受信データプロセッサ１５０による処理はそれぞれ、基地局１０５におけるシンボル変調器１２０及び送信データプロセッサ１１５による処理に相補的である。
【０１６２】
端末１１０は、上りリンク上で、送信データプロセッサ１６５がトラフィックデータを処理してデータシンボルを提供する。シンボル変調器１７０は、データシンボルを受信して多重化し変調を行って、シンボルのストリームを送信器１７５に提供する。送信器１７５は、シンボルのストリームを受信及び処理して上りリンク信号を生成する。そして、送信アンテナ１３５は、生成された上りリンク信号を基地局１０５に伝送する。
【０１６３】
基地局１０５において、端末１１０から上りリンク信号が受信アンテナ１３０を介して受信され、受信器１９０は、受信した上りリンク信号を処理したサンプルを獲得する。続いて、シンボル復調器１９５はこれらのサンプルを処理し、上りリンクで受信したパイロットシンボル及びデータシンボル推定値を提供する。受信データプロセッサ１９７は、データシンボル推定値を処理することで、端末１１０から伝送されたトラフィックデータを復旧する。
【０１６４】
端末１１０及び基地局１０５のそれぞれのプロセッサ１５５，１８０はそれぞれ、端末１１０及び基地局１０５における動作を指示（例えば、制御、調整、管理など）する。それぞれのプロセッサ１５５，１８０は、プログラムコード及びデータを保存するメモリーユニット１６０，１８５に接続可能である。メモリー１６０，１８５は、プロセッサ１８０に接続してオペレーティングシステム、アプリケーション、及び一般ファイル（ｇｅｎｅｒａｌ  ｆｉｌｅｓ）を保存する。
【０１６５】
プロセッサ１５５，１８０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれてもよい。一方、プロセッサ１５５，１８０は、ハードウェア（ｈａｒｄｗａｒｅ）、ファームウェア（ｆｉｒｍｗａｒｅ）、ソフトウェア、又はこれらの結合により具現可能である。ハードウェアを用いて本発明の実施例を具現する場合には、本発明を行うように構成されたＡＳＩＣｓ（ａｐｐｌｉｃａｔｉｏｎ  ｓｐｅｃｉｆｉｃ  ｉｎｔｅｇｒａｔｅｄ
ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１５５，１８０に備えられるとよい。
【０１６６】
一方、ファームウェアやソフトウェアを用いて本発明の実施例を具現する場合には、本発明の機能又は動作を行うモジュール、手順又は関数などを含むようにファームウェアやソフトウェアが構成されるとよく、本発明を実行できるように構成されたファームウェア又はソフトウェアは、プロセッサ１５５，１８０内に備えられてもよく、メモリー１６０，１８５に保存されてプロセッサ１５５，１８０により駆動されてもよい。
【０１６７】
端末及び基地局と無線通信システム（ネットワーク）との無線インタフェースプロトコルのレイヤは、通信システムで周知であるＯＳＩ（ｏｐｅｎ  ｓｙｓｔｅｍ  ｉｎｔｅｒｃｏｎｎｅｃｔｉｏｎ）モデルにおける下位の３レイヤに基づき、第１レイヤ（Ｌ１）、第２レイヤ（Ｌ２）及び第３レイヤ（Ｌ３）に分類可能である。物理レイヤは第１レイヤに属し、物理チャネルを介して情報伝送サービスを提供する。ＲＲＣ（Ｒａｄｉｏ  Ｒｅｓｏｕｒｃｅ  Ｃｏｎｔｒｏｌ）レイヤは、第３レイヤに属し、ＵＥ及びネットワーク間の制御無線リソースを提供する。端末、基地局は無線通信ネットワークとＲＲＣレイヤを介してＲＲＣメッセージを交換できる。
【０１６８】
図２は、移動通信システムの一例である３ＧＰＰ ＬＴＥシステムで用いられる無線フ
レームの構造を例示する図である。
【０１６９】
図２を参照すると、１個の無線フレーム（ｒａｄｉｏ  ｆｒａｍｅ）は１０ｍｓ（３２７２００Ｔｓ）の長さを有し、１０個の均等なサイズのサブフレーム（ｓｕｂｆｒａｍｅ）で構成されている。それぞれのサブフレームは、１ｍｓの長さを有し、２個のスロット（ｓｌｏｔ）で構成されている。それぞれのスロットは、０．５ｍｓ（１５３６０Ｔｓ）の長さを有する。ここで、Ｔｓは、サンプリング時間を表し、Ｔｓ＝１／（１５ｋＨｚ×２０４８）＝３．２５５２×１０−８（約３３ｎｓ）で表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【０１７０】
ＬＴＥシステムにおいて１個のリソースブロック（Ｒｅｓｏｕｒｃｅ  Ｂｌｏｃｋ、ＲＢ）は、１２個の副搬送波×７（６）個のＯＦＤＭシンボル又はＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを含む。データの伝送される単位時間であるＴＴＩ（Ｔｒａｎｓｍｉｓｓｉｏｎ  Ｔｉｍｅ  Ｉｎｔｅｒｖａｌ）は、１つ以上のサブフレーム単位に定められるとよい。上述した無線フレームの構造は例示に過ぎず、無線フレームに含まれるサブフレームの数、サブフレームに含まれるスロットの数、又はスロットに含まれるＯＦＤＭシンボル又はＳＣ−ＦＤＭＡシンボルの数は様々に変更されてもよい。
【０１７１】
図３は、移動通信システムの一例である３ＧＰＰ ＬＴＥシステムの下りリンク及び上
りリンクサブフレームの構造を示す図である。
【０１７２】
図３（ａ）を参照すると、１個の下りリンクサブフレームは時間領域において２個のスロットを含んでいる。下りリンクサブフレーム内の一番目のスロットにおける先頭の最大３ＯＦＤＭシンボルが、制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域になる。
【０１７３】
３ＧＰＰ ＬＴＥシステムなどで使用される下りリンク制御チャネルには、ＰＣＦＩＣ
Ｈ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。サブフレームの最初のＯＦＤＭシンボルで伝送されるＰＣＦＩＣＨは、サブフレーム内で制御チャネルの伝送に使用されるＯＦＤＭシンボルの数（すなわち、制御領域のサイズ）に関する情報を運ぶ。ＰＤＣＣＨで伝送される制御情報を下りリンク制御情報（Ｄｏｗｎｌｉｎｋ  Ｃｏｎｔｒｏｌ  Ｉｎｆｏｒｍａｔｉｏｎ、ＤＣＩ）という。ＤＣＩは、上りリンクリソース割当情報、下りリンクリソース割当情報、及び任意の端末グループに関する上りリンク伝送電力制御命令などを指す。ＰＨＩＣＨは、上りリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）信号を運ぶ。すなわち、端末が伝送した上りリンクデータに対するＡＣＫ／ＮＡＣＫ信号はＰＨＩＣＨ上で伝送される。
【０１７４】
次に、下りリンク物理チャネルであるＰＤＣＣＨについて説明する。
【０１７５】
基地局は、ＰＤＣＣＨを用いて、ＰＤＳＣＨのリソース割当及び伝送フォーマット（「ＤＬｇｒａｎｔ」ともいう）、ＰＵＳＣＨのリソース割当情報（「ＵＬ ｇｒａｎｔ」と
もいう）、任意の端末、グループ内の個別端末に対する伝送電力制御（Ｔｒａｎｓｍｉｔ
Ｐｏｗｅｒ  Ｃｏｎｔｒｏｌ、ＴＰＣ）命令の集合及びＶｏＩＰ（Ｖｏｉｃｅ  ｏｖｅｒ  Ｉｎｔｅｒｎｅｔ  Ｐｒｏｔｏｃｏｌ）の活性化などを伝送できる。基地局は複数のＰＤＣＣＨを制御領域内で伝送でき、端末は複数のＰＤＣＣＨをモニタリングできる。ＰＤＣＣＨは、１つ又は複数の連続したＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）で構成される。基地局は、１つ又は複数の連続したＣＣＥの集合で構成されたＰＤＣＣＨを、サブブロックインタリービング（ｓｕｂｂｌｏｃｋ  ｉｎｔｅｒｌｅａｖｉｎｇ）を経て制御領域で伝送可能である。ＣＣＥは、無線チャネルの状態に応じた符号化率をＰＤＣＣＨに提供するために用いられる論理的割当単位である。ＣＣＥは、複数のリソース要素グループ（ｒｅｓｏｕｒｃｅ  ｅｌｅｍｅｎｔ  ｇｒｏｕｐ）に対応する。ＣＣＥの数とＣＣＥにより提供される符号化率との関係によってＰＤＣＣＨのフォーマット及び可能なＰＤＣＣＨのビット数が決定される。
【０１７６】
ＰＤＣＣＨで伝送される制御情報を下りリンク制御情報（ｄｏｗｎｌｉｎｋ  ｃｏｎｔｒｏｌ  ｉｎｆｏｒｍａｔｉｏｎ、ＤＣＩ）という。下記の表１は、ＤＣＩフォーマットによるＤＣＩを表すものである。
【０１７７】
【表１】
0005966043.tif 000243
ＤＣＩフォーマット０は、上りリンクリソース割当情報を指示し、ＤＣＩフォーマット１〜２は、下りリンクリソース割当情報を指示し、ＤＣＩフォーマット３、３Ａは、任意の端末グループに対する上りリンク伝送電力制御（Ｔｒａｎｓｍｉｔ  Ｐｏｗｅｒ  Ｃｏｎｔｒｏｌ、ＴＰＣ）命令を指示する。ＤＣＩフォーマット３／３Ａは複数の端末に対するＴＰＣ命令を含む。ＤＣＩフォーマット３／３Ａについて、基地局はＣＲＣにＴＰＣ−ＩＤをマスキングする。ＴＰＣ−ＩＤは、端末がＴＰＣ命令（ｃｏｍｍａｎｄ）を運ぶＰＤＣＣＨをモニタリングするためにデマスキング（ｄｅｍａｓｋｉｎｇ）する識別子である。ＴＰＣ−ＩＤは、ＰＤＣＣＨ上でＴＰＣ命令が伝送されるか否かを確認するために端末がＰＤＣＣＨのデコーディングに使用する識別子といえる。ＴＰＣ−ＩＤは、既存の識別子であるＣ−ＲＮＴＩ（Ｒａｄｉｏ  Ｎｅｔｗｏｒｋ  Ｔｅｍｐｏｒａｒｙ  Ｉｄｅｎｔｉｆｉｅｒ）、ＰＩ−ＲＮＴＩ、ＳＣ−ＲＮＴＩ、又はＲＡ−ＲＮＴＩを再使用して定義してもよく、又は新しい識別子で定義してもよい。ＴＰＣ−ＩＤは、セル内の特定集合の端末のための識別子である点で、特定端末のための識別子であるＣ−ＲＮＴＩと異なり、セル内の全ての端末のための識別子であるＰＩ−ＲＮＴＩ、ＳＣ−ＲＮＴＩ及びＲＡ−ＲＮＴＩとも異なる。ＤＣＩがＮ個の端末のためのＴＰＣ命令を含む場合に、Ｎ個の端末のみがＴＰＣ命令を受信すればいいわけである。もし、セル内の全ての端末に対するＴＰＣ命令がＤＣＩに含まれているなら、ＴＰＣ−ＩＤはセル内の全ての端末のための識別子となる。
【０１７８】
端末は、サブフレーム内の検索空間（ｓｅａｒｃｈ  ｓｐａｃｅ）でＰＤＣＣＨ候補（ｃａｎｄｉｄａｔｅ）の集合をモニタリングしてＴＰＣ−ＩＤを探す。この時、ＴＰＣ−ＩＤは共用検索空間で探してもよく、端末−特定（ＵＥ−ｓｅｐｃｉｆｉｃ）検索空間で探してもよい。共用検索空間は、セル内の全ての端末が検索する検索空間であり、端末特定検索空間は、特定端末が検索する検索空間である。もし、該当するＰＤＣＣＨ候補に対してＴＰＣ−ＩＤをデマスキングしてＣＲＣエラーが検出されないと、端末はＰＤＣＣＨ上のＴＰＣ命令を受信すればよい。
【０１７９】
多数のＴＰＣ命令のみを運ぶＰＤＣＣＨのための識別子、ＴＰＣ−ＩＤを定義する。端末は、ＴＰＣ−ＩＤが検出されると、該当するＰＤＣＣＨ上のＴＰＣ命令を受信する。該ＴＰＣ命令は、上りリンクチャネルの伝送電力を調節するのに使われる。これにより、誤った電力制御による基地局への伝送失敗や他の端末への干渉を防止することができる。
【０１８０】
以下では、ＬＴＥシステムなどにおいて基地局がＰＤＣＣＨを伝送のためにリソースをマッピングする方案について簡単に説明する。
【０１８１】
一般に、基地局はＰＤＣＣＨを介してスケジューリング割当情報及び他の制御情報を伝送できる。物理制御チャネルは、１つの集合（ａｇｇｒｅｇａｔｉｏｎ）又は複数個の連続制御チャネル要素（Ｃｏｎｔｒｏｌ  Ｃｈａｎｎｅｌ  Ｅｌｅｍｅｎｔ、ＣＣＥ）で伝送されてよい。１個のＣＣＥは９個のリソース要素グループ（Ｒｅｓｏｕｒｃｅ  Ｅｌｅｍｅｎ  ｔＧｒｏｕｐ、ＲＥＧ）を含む。ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨｈａｎｎｅｌ）又はＰＨＩＣＨ（Ｐｈｙｓｉｃａｌ  Ｈｙｂｒｉｄ  Ａｕｔｏfｍａｔｉｃ  Ｒｅｐｅａｔ  Ｒｅｑｕｅｓｔ  Ｉ
ｎｄｉｃａｔｏｒ  Ｃｈａｎｅｌ）に割り当てられなかったＲＢＧの個数はＮＲＥＧである。システムで利用可能なＣＣＥは０〜ＮＣＣＥ−１である（ここで、
【０１８２】
【化１２２】
0005966043.tif 000244
である。）。ＰＤＣＣＨは、下記の表２に表すように、多重フォーマットを支援する。ｎ個の連続ＣＣＥで構成された１つのＰＤＣＣＨはｉｍｏｄ ｎ＝０を行うＣＣＥから始ま
る（ここで、iはＣＣＥ番号である）。多重ＰＤＣＣＨは１つのサブフレームで伝送可能である。
【０１８３】
【表２】
0005966043.tif 000245
表２を参照すると、基地局は制御情報などをいくつの領域で送るかによってＰＤＣＣＨフォーマットを決定できる。端末はＣＣＥ単位で制御情報などを読むことで、オーバーヘッドを減らすことができる。
【０１８４】
図３（ｂ）を参照すると、上りリンクサブフレームは周波数領域において制御領域とデータ領域とに区分可能である。制御領域は、上りリンク制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）に割り当てられる。データ領域は、ユーザーデータを運ぶためのＰＵＳＣＨ（Ｐｈｙｓｉｃａｌ  Ｕｐｌｉｎｋ
Ｓｈａｒｅｄ  ＣＨａｎｎｅｌ）に割り当てられる。単一搬送波特性を維持するために、一つの端末はＰＵＣＣＨ及びＰＵＳＣＨを同時に伝送しない。一つの端末のためのＰＵＣＣＨは一つのサブフレームにおいてＲＢペアで割り当てられる。ＲＢペアに属するＲＢはそれぞれ、２個のスロットで互いに異なる副搬送波を占めている。ＰＵＣＣＨに割り当てられたＲＢペアはスロット境界（ｓｌｏｔ  ｂｏｕｎｄａｒｙ）で周波数ホッピングする。
【０１８５】
図４は、３ＧＰＰ ＬＴＥシステムにおいて下りリンクの時間−周波数リソース格子構
造（ｒｅｓｏｕｒｃｅ  ｇｒｉｄ  ｓｔｒｕｃｔｕｒｅ）を示す図である。
【０１８６】
各スロットで伝送される下りリンク信号は、
【０１８７】
【化１２３】
0005966043.tif 000246
の副搬送波（ｓｕｂｃａｒｒｉｅｒ）と
【０１８８】
【化１２４】
0005966043.tif 000247
のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成されるリソース格子（ｒｅｓｏｕｒｃｅ  ｇｒｉｄ）構造を用いる。ここで、
【０１８９】
【化１２５】
0005966043.tif 000248
は下りリンクでのリソースブロック（ＲＢ：Ｒｅｓｏｕｒｃｅ  Ｂｌｏｃｋ）の個数を表し、
【０１９０】
【化１２６】
0005966043.tif 000249
は１つのＲＢを構成する副搬送波の個数を表し、
【０１９１】
【化１２７】
0005966043.tif 000250
は一つの下りリンクスロットでのＯＦＤＭシンボルの個数を表す。
【０１９２】
【化１２８】
0005966043.tif 000251
のサイズは、セル内で構成された下りリンク伝送帯域幅に依存し、
【０１９３】
【化１２９】
0005966043.tif 000252
を満たさなければならない。ここで、
【０１９４】
【化１３０】
0005966043.tif 000253
は、無線通信システムが支援する最小の下りリンク帯域幅であり、
【０１９５】
【化１３１】
0005966043.tif 000254
は、無線通信システムが支援する最大の下りリンク帯域幅である。
【０１９６】
【化１３２】
0005966043.tif 000255
でよいが、これに限定されるものではない。１個のスロット内に含まれたＯＦＤＭシンボルの個数はサイクリックプレフィックス（ＣＰ：Ｃｙｃｌｉｃ  Ｐｒｅｆｉｘ）の長さ及び副搬送波の間隔によって異なることがある。多重アンテナ伝送の場合、１つのアンテナポート当たり１つのリソース格子が定義可能である。
【０１９７】
各アンテナポートに対するリソース格子内の各要素はリソース要素（ＲＥ：Ｒｅｓｏｕｒｃｅ  Ｅｌｅｍｅｎｔ）と呼ばれ、スロット内のインデックス対（ｋ，ｌ）によりそれぞれ識別される。ここで、ｋは周波数領域でのインデックスであり、ｌは時間領域でのインデックスであり、ｋは
【０１９８】
【化１３３】
0005966043.tif 000256
のいずれか一つの値を有し、ｌは
【０１９９】
【化１３４】
0005966043.tif 000257
のいずれか一つの値を有する。
【０２００】
図４に示したリソースブロックは、ある物理チャネルとリソース要素とのマッピング（ｍａｐｐｉｎｇ）関係を説明するために用いられる。ＲＢは、物理リソースブロック（ＰＲＢ：Ｐｈｙｓｉｃａｌ  Ｒｅｓｏｕｒｃｅ  Ｂｌｏｃｋ）と仮想リソースブロック（ＶＲＢ：Ｖｉｒｔｕａｌ  Ｒｅｓｏｕｒｃｅ  Ｂｌｏｃｋ）とに分けられる。１つのＰＲＢは、時間領域の
【０２０１】
【化１３５】
0005966043.tif 000258
の連続したＯＦＤＭシンボルと周波数領域の
【０２０２】
【化１３６】
0005966043.tif 000259
の連続した副搬送波で定義される。ここで、
【０２０３】
【化１３７】
0005966043.tif 000260
はあらかじめ決定された値でよい。例えば、
【０２０４】
【化１３８】
0005966043.tif 000261
は、下記の表３のように与えられることがある。したがって、１つのＰＲＢは、
【０２０５】
【化１３９】
0005966043.tif 000262
のリソース要素で構成される。１つのＰＲＢは、時間領域では１つのスロットに対応し、周波数領域では１８０ｋＨｚに対応するが、これに限定されるものではない。
【０２０６】
【表３】
0005966043.tif 000263
ＰＲＢは、周波数領域で０から
【０２０７】
【化１４０】
0005966043.tif 000264
までの値を有する。周波数領域でのＰＲＢナンバー（ｎｕｍｂｅｒ）ｎＰＲＢと１つのスロット内でのリソース要素（ｋ，ｌ）との関係は、
【０２０８】
【化１４１】
0005966043.tif 000265
を満たす。
【０２０９】
ＶＲＢのサイズはＰＲＢのサイズと同一である。ＶＲＢは、ローカル型ＶＲＢ（Ｌｏｃａｌｉｚｅｄ  ＶＲＢ、ＬＶＲＢ）と分散型ＶＲＢ（Ｄｉｓｔｒｉｂｕｔｅｄ  ＶＲＢ、ＤＶＲＢ）とに区別可能である。各タイプのＶＲＢに対して、１つのサブフレーム内の２つのスロットにある一対のＶＲＢは、単一のＶＲＢナンバーｎＶＲＢが共に割り当てられる。
【０２１０】
ＶＲＢはＰＲＢと同一のサイズを有することができる。２タイプのＶＲＢが定義されるが、一つはローカル型ＶＲＢ（Ｌｏｃａｌｉｚｅｄ  ＶＲＢ、ＬＶＲＢ）であり、もう一つは分散型ＶＲＢ（Ｄｉｓｔｒｉｂｕｔｅｄ  ＶＲＢ、ＤＶＲＢ）である。各タイプのＶＲＢに対して、一対（ｐａｉｒ）のＶＲＢが単一のＶＲＢインデックス（以下、ＶＲＢナンバー（ｎｕｍｂｅｒ）ともいう）を持って１個のサブフレームの２個のスロットにわたって割り当てられる。言い換えると、１つのサブフレームを構成する２個のスロットのうち、第１スロットに属する
【０２１１】
【化１４２】
0005966043.tif 000266
のＶＲＢにはそれぞれ
【０２１２】
【化１４３】
0005966043.tif 000267
のいずれか一つのインデックス（Ｉｎｄｅｘ）が割り当てられ、第２スロットに属する
【０２１３】
【化１４４】
0005966043.tif 000268
のＶＲＢにも同様に、それぞれ
【０２１４】
【化１４５】
0005966043.tif 000269
のいずれか一つのインデックスが割り当てられる。
【０２１５】
以下では、ＬＴＥシステムで基地局が端末にＰＤＣＣＨを伝送する過程を説明する。
【０２１６】
基地局は、端末に伝送するＤＣＩ（Ｄｏｗｎｌｉｎｋ  Ｃｏｎｔｒｏｌ  Ｉｎｆｏｒｍａｔｉｏｎ）によってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途によって固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）がマスキングされる。特定端末のためのＰＤＣＣＨであれば、端末の固有識別子、例えばＣ−ＲＮＴＩ（Ｃｅｌｌ−ＲＮＴＩ）がＣＲＣにマスキングされるとよい。又は、ページングメッセージのためのＰＤＣＣＨであれば、ページング指示識別子、例えばＰ−ＲＮＴＩ（Ｐａｇｉｎｇ−ＲＮＴＩ）がＣＲＣにマスキングされてもよい。システム情報のためのＰＤＣＣＨであれば、システム情報識別子ＳＩ−ＲＮＴＩ（ｓｙｓｔｅｍ  ｉｎｆｏｒｍａｔｉｏｎ−ＲＮＴＩ）がＣＲＣにマスキングされてもよい。端末のランダムアクセスプリアンブルの伝送に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされてもよい。下記の表４は、ＰＤＣＣＨにマスキングされる識別子の例を表すものである。
【０２１７】
【表４】
0005966043.tif 000270
Ｃ−ＲＮＴＩが使用されると、ＰＤＣＣＨはそれぞれ、該当する特定端末のための制御情報を搬送し、他のＲＮＴＩが使用されると、ＰＤＣＣＨはそれぞれ、セル内の全ての又は複数の端末が受信する共用制御情報を搬送する。基地局は、ＣＲＣの付加されたＤＣＩにチャネルコーディングを行って符号化されたデータ（ｃｏｄｅｄ  ｄａｔａ）を生成する。そして、基地局は、ＰＤＣＣＨフォーマットに割り当てられたＣＣＥの数に従うレートマッチング（ｒａｔｅ  ｍａｔｃｈｉｎｇ）を行う。その後、基地局は、符号化されたデータを変調して変調シンボルを生成する。そして、基地局は変調シンボルを物理的なリソース要素にマッピングする。
【０２１８】
図５は、端末が上りリンク信号を伝送するための信号処理手順を説明するための図である。
【０２１９】
図５を参照すると、上りリンク信号を伝送するために、端末のスクランブリング（ｓｃｒａｍｂｌｉｎｇ）モジュール５１０は、端末−特定スクランブル信号を用いて伝送信号をスクランブルすればよい。スクランブルされた信号は、変調マッパー５２０に入力され、伝送信号の種類及び／又はチャネル状態によって、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）又は１６ＱＡＭ／６４ＱＡＭ（Ｑｕａｄｒａｔｕｒｅ  Ａｍｐｌｉｔｕｄｅ  Ｍｏｄｕｌａｔｉｏｎ）方式を用いて複素シンボル（ｃｏｍｐｌｅｘ  ｓｙｍｂｏｌ）に変調される。変調された複素シンボルは、変換プリコーダ５３０で処理された後、リソース要素マッパー５４０に入力され、リソース要素マッパー５４０は複素シンボルを時間−周波数リソース要素にマッピングできる。このように処理された信号はＳＣ−ＦＤＭＡ信号生成器５５０を経てアンテナから基地局に伝送されるとよい。
【０２２０】
以下では、ＬＴＥ Ｒｅｌｅａｓｅ−８に定義されたＰＵＣＣＨフォーマットと端末の
上りリンク伝送電力に関する内容について説明する。ＰＵＣＣＨは、上り制御情報を運ぶ上りリンク制御チャネルである。ＬＴＥシステムでは、単一キャリア（ｓｉｎｇｌｅ  ｃａｒｒｉｅｒ）特性から、端末がＰＵＣＣＨとＰＵＳＣＨを同時に伝送することができない。しかし、ＬＴＥ−Ａシステムでは、マルチキャリアの導入により、端末が特定コンポーネントキャリア（例えば、プライマリコンポーネントキャリア又はＰｃｅｌｌ）ではＰＵＣＣＨをＰＵＳＣＨと共に伝送することが可能になった。ＰＵＣＣＨは、複数のフォーマットを支援し、ＬＴＥＲｅｌｅａｓｅ−８で支援されるＰＵＣＣＨフォーマットは、下記の表５の通りである。ここで、ＰＵＣＣＨフォーマット２ａ及び２ｂはノーマルＣＰのみを支援する。
【０２２１】
【表５】
0005966043.tif 000271
下記の式１は、ＬＴＥ Ｒｅｌｅａｓｅ−８において端末の上りリンク制御チャネル伝
送のための上りリンク電力をｄＢｍ単位で表すものである。
【０２２２】
【数１】
0005966043.tif 000272
ここで、ｉはサブフレームインデックスを表し、ＰＣＭＡＸは、端末の伝送可能な最大電力を表し、ＰＯ＿ＰＵＣＣＨは、セル−特定（ｃｅｌｌ−ｓｐｅｃｉｆｉｃ）パラメータの和で構成されたパラメータで、基地局が上位層シグナリングにより知らせる。ＰＬは、端末がｄＢ単位で計算した下りリンク経路損失（又は信号損失）推定値で、ＰＬ＝ｒｅｆｅｒｅｎｃｅＳｉｇｎａｌＰｏｗｅｒ−ｈｉｇｈｅｒｌａｙｅｒｆｉｌｔｅｒｅｄＲ
ＳＲＰで表現される。ｈ(ｎ)は、ＰＵＣＣＨフォーマットによって異なる値であり、ｎＣＱＩはチャネル品質情報（ＣＱＩ）に関する数字情報ビットであり、ｎＨＡＲＱは、ＨＡＲＱビットの数を表す。
【０２２３】
【化１４６】
0005966043.tif 000273
は、ＰＵＣＣＨフォーマット１ａに対して相対的な値であって、ＰＵＣＣＨフォーマット（Ｆ）に対応し、且つ基地局が上位層シグナリングにより知らせる値である。ｇ(ｉ)は、インデックスｉサブフレームの現在ＰＵＣＣＨ電力制御調整ステート（ａｄｊｕｓｔｍｅｎｔ  ｓｔａｔｅ）を表す。ｈ(ｎＣＱＩ，ｎＨＡＲＱ）は、ＰＵＣＣＨフォーマット１
、１ａ及び１ｂでは０であり、ＰＵＣＣＨフォーマット２、２ａ、２ｂでは、ノーマルＣＰ(Ｃｙｃｌｉｃ  Ｐｒｅｆｉｘ）の場合に、下記の式２のように表現可能である。
【０２２４】
【数２】
0005966043.tif 000274
下記の表６は、ＤＣＩフォーマット１Ａ／１Ｂ／１Ｄ／１／２Ａ／２／３においてＴＰＣ命令フィールドにマッピングされた
【０２２５】
【化１４７】
0005966043.tif 000275
を表すものであり、表７は、ＤＣＩフォーマット３ＡにおいてＴＰＣ命令フィールドにマッピングされた
【０２２６】
【化１４８】
0005966043.tif 000276
を表すものである。ここで、
【０２２７】
【化１４９】
0005966043.tif 000277
は、端末別に特定した補正値（或いは、電力補正値（ｃｏｒｒｅｃｔｉｏｎ  ｖａｌｕｅ））を表す。
【０２２８】
【表６】
0005966043.tif 000278
【０２２９】
【表７】
0005966043.tif 000279
図６Ａ乃至図８Ｂは、基地局の多重キャリア（Ｍｕｌｔｉｐｌｅ  ｃａｒｒｉｅｒ）及び端末の多重キャリアを説明するための図である。
【０２３０】
本発明で考慮する環境は、一般的な多重キャリア支援環境を全て含む。すなわち、本発明でいう多重キャリアシステム又はキャリアアグリゲーションシステムは、広帯域を支援するために目標の広帯域を構成するとき、目標の帯域よりも小さい帯域幅（ｂａｎｄｗｉｄｔｈ）を有する１個以上のキャリアを束ねて使用するシステムのことを指す。目標の帯域よりも小さい帯域幅を有する１個以上のキャリアを束ねるとき、束ねられるキャリアの帯域幅は、既存ＩＭＴシステムとの互換性（ｂａｃｋｗａｒｄ  ｃｏｍｐａｔｉｂｉｌｉｔｙ）を考慮して、既存システムで使用する帯域幅に制限すればよい。例えば、既存の３ＧＰＰＬＴＥシステムでは｛１．４、３、５、１０、１５、２０｝ＭＨｚ帯域幅を支援し、ＬＴＥ＿ａｄｖａｎｃｅｄシステムでは、ＬＴＥで支援する上記の帯域幅のみを用いて２０ＭＨｚよりも大きい帯域幅を支援するようにする。又は、既存システムで使用する帯域幅にかかわることなく新しい帯域幅を定義してキャリアアグリゲーションを支援するようにしてもよい。
【０２３１】
多重キャリア（Ｍｕｌｔｉｐｌｅ  ｃａｒｒｉｅｒ）は、キャリアアグリゲーション、帯域幅（ＢＷ）アグリゲーションに言い換えてもよいことは明らかである。キャリアアグリゲーションは、連続的（隣接）キャリアアグリゲーション（ｃｏｎｔｉｇｕｏｕｓ  ｃａｒｒｉｅｒ  ａｇｇｒｅｇａｔｉｏｎ）、非−連続的キャリアアグリゲーション（ｎｏｎ-ｃｏｎｔｉｇｕｏｕｓ  ｃａｒｒｉｅｒ  ａｇｇｒｅｇａｔｉｏｎ）、スペクトルア
グリゲーション（ｓｐｅｃｔｒｕｍ  ａｇｇｒｅｇａｔｉｏｎ）を総称する。
【０２３２】
多重キャリアを效率的に使用するために複数のキャリアを一つのＭＡＣが管理する技術について説明する。これに対する送信部は図６Ａに、受信部は図６Ｂに、それぞれ示されている。このとき、多重キャリアを效果的に送／受信するには送信器、受信器とも多重キャリアを送／受信可能になっていなければならない。
【０２３３】
簡単にいうと、一つのＭＡＣが一つ以上の周波数（ｆｒｅｑｕｅｎｃｙ）キャリアを管理／運営して送／受信する技術のことをいう。また、一つのＭＡＣで管理される周波数キャリアは、互いに隣接（ｃｏｎｔｉｇｕｏｕｓ）する必要がないため、リソース管理の側面でより柔軟（ｆｌｅｘｉｂｌｅ）であるというメリットがある。連続（ｃｏｎｔｉｇｕｏｕｓ）キャリアアグリゲーションも、不連続（ｎｏｎ−ｃｏｎｔｉｇｕｏｕｓ）キャリアアグリゲーションも可能である。
【０２３４】
このような図６Ａ及び図６Ｂの構造の他に、図７Ａ、図７Ｂ、図８Ａ、及び図８Ｂのように、複数のＰＨＹを、一つのＭＡＣではなく、複数のＭＡＣが制御することもある。
【０２３５】
図７Ａ及び図７Ｂのように、それぞれのキャリアをそれぞれのＭＡＣが１：１で制御してもよく、図８Ａ及び図８Ｂのように、一部のキャリアについてはそれぞれのキャリアをそれぞれのＭＡＣが１：１で制御し、残りのキャリアについては、複数のキャリアを一つのＭＡＣが制御してもよい。
【０２３６】
上記のシステムは、１〜Ｎ個のキャリアを含むシステムであり、各キャリアは連続的に用いられてもよく、又は不連続的に用いられてもよい。これは、上りリンクにも下りリンクにも適用可能である。ＴＤＤシステムでは、それぞれのキャリア内にＤLとＵＬの伝送
を含みながら、Ｎ個の多数キャリアを運用するように構成され、ＦＤＤシステムでは、多数のキャリアを上りリンク、下りリンクにそれぞれ使用できるように構成される。既存ＬＴＥＲｅｌ−８では上りリンク、下りリンクの帯域幅が異なるように設定されてもよいが、基本的に単一キャリア内での送／受信を支援する。しかし、ＬＴＥ−Ａシステムでは、上述した通り、キャリアアグリゲーションを用いて多数のキャリアを運用可能になる。これに加えて、ＦＤＤシステムでは上りリンク、下りリンクで束ねられるキャリアの数及び／又はキャリアの帯域幅が互いに異なる非対称的（ａｓｙｍｍｅｔｒｉｃ）キャリアアグリゲーションも支援可能である。
【０２３７】
ＣＡは、イントラ帯域（Ｉｎｔｒａ  ｂａｎｄ）内のコンポーネントキャリア（ｃｏｍｐｏｎｅｎｔ  ｃａｒｒｉｅｒ：ＣＣ）／セル（本発明では、説明の便宜のためにＣＣと総称する）のみで構成されたり、或いはインター帯域（Ｉｎｔｅｒ  ｂａｎｄ）間のコンポーネントキャリアの組合せで構成される。従来技術ではＣＡ構成によらず、上りリンクタイミング調整（ＵＬ  ｔｉｍｉｎｇ  ａｄｊｕｓｔｍｅｎｔ：ＵＬＴＡ）は一つに設定されている。ここで、上りリンクタイミング調整とは、基地局の観点で、セル内に分布する全ての端末の伝送信号が同一時点に基地局に到達できるように上りリンク伝送時点を端末別に調節する機能のことを指す。しかし、インター帯域（ｉｎｔｅｒ  ｂａｎｄ）間の周波数特性の違いから、一つに設定して使用することは困難な場合がある。また、これを反映して複数の（ｍｕｌｔｉｐｌｅ）ＴＡグループの形態が支援される場合には、複数のプライマリセル（ｍｕｌｔｉｐｌｅ  Ｐｒｉｍａｒｙ  ｃｅｌｌ：ＰＣｅｌｌ）も可能であり、ＰＣｅｌｌは一つ存在し、ＰＣｅｌｌのＴＡグループと他のＳｃｅｌｌ（Ｓｅｃｏｎｄａｒｙ  Ｃｅｌｌ）のＴＡグループで構成されてもよい。ここで、ＴＡグループは、同一のＴＡ値を共有する上りリンクリソースのセットを意味する。一つのＴＡグループは、一つのサービングセルで構成されてよい。構成された（ｃｏｎｆｉｇｕｒｅｄ）ＣＣとＴＡグループとの関係は基地局によって規定されなければならない。一つのＴＡグループは、一つ或いはそれ以上のセル／コンポーネントキャリアで構成される。ＰＣｅｌｌが一つ以上ある場合、ＰＵＣＣＨもＰＣｅｌｌの個数だけ端末が同時に伝送できる。現在ＰＣｅｌｌの概念は、ＦＤＤの場合、リンケージ又はペアリング（ｌｉｋａｇｅ  ｏｒ  ｐａｉｒｅｄ）されたＤＬ／ＵＬセル／コンポーネントキャリア（以下、セルと総称する）とされている。この場合、電力制御（ｐｏｗｅｒ  ｃｏｎｔｒｏｌ）観点で接近する時、ＤＬ経路損失（ｐａｔｈ−ｌｏｓｓ）を推定するＤＬセルの個数もＤＬＰｃｅｌｌの個数だけ拡張されなければならない。端末は、設定された（ｃｏｎｆｉｇｕｒｅｄ）ＤＬＰＣ
ｅｌｌのＲＳＲＰ（ｒｅｆｅｒｅｎｃｅ  ｓｉｇｎａｌ  ｒｅｃｅｉｖｅｄ  ｐｏｗｅｒ）を測定してＤＬ経路損失を計算した後、ＵＬ電力制御にそれを利用できる。端末は、設定されたＰＣｅｌｌ別にＲＳＲＰ／ＲＳＲＱを推定して基地局にレポートしなければならない。
【０２３８】
従来技術は一つのＴＡと一つのＰＣｅｌｌに基づいて設計されているため、複数個のＴＡが支援される場合に、問題を伴うことがある。また、複数個のＴＡ状況でないＣＡ状況で、ＰＣｅｌｌでランダムアクセス信号（Ｒａｎｄｏｍ  ａｃｃｅｓｓ  ｓｉｇｎ）であるプリアンブル／シーケンス（ｐｒｅａｍｂｌｅ／ｓｅｑｕｅｎｃｅ）を伝送すると同時にＳＣｅｌｌでＰＵＳＣＨ／ＳＲＳを伝送する場合に対するパワーコントロール及び諸般状況に対する具体的な方法がない。
【０２３９】
したがって、本発明では、ＣＡを支援するシステムにおいて複数のＴＡグループが形成される場合、プライマリセル（ＰＣｅｌｌ）がＴＡグループ別に存在することもあり、そうでないこともある。一つのＴＡグループは、一つ或いはそれ以上のセル／コンポーネントキャリアで構成される。複数のＴＡグループがあり、ＰＣｅｌｌは特定ＴＡグループにのみあり、残りのＴＡグループはＳｃｅｌｌでのみ構成される場合も考慮可能である。ＴＡグループ別に、プリアンブルを含むランダムアクセス信号を伝送してＴＡを支援する場合、ＴＡグループ別にランダムアクセス信号を同時に伝送してもよく、時間差をおいてＴＡグループ別にランダムアクセス信号を伝送してもよい。時間差をおいて伝送する場合、１番目のＴＡグループのＵＬ伝送（ＰＵＣＣＨ／ＰＵＳＣＨ／ＳＲＳ）と２番目のＴＡグループで伝送するランダムアクセス信号は同時伝送されることがある。この時、端末の同時伝送パワーの和が、端末の最大伝送パワーレベルを超過する場合、下記のような方法を考慮すればよい。
【０２４０】
第１方案は、伝送信号間の優先順位に従って伝送パワーを割り当てる方法である。すなわち、左側に位置するほど高い優先順位を有する。上りリンク伝送信号の優先順位は、下記の１１通りの方式のいずれかに該当すればよい。上記伝送信号は、ランダムアクセス信号（Ｒａｎｄｏｍ  Ａｃｃｅｓｓ  Ｓｉｇｎａｌ）、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）ｗｉｔｈＵＣＩ（Ｕｐｌｉｎｋ  Ｃｏｎｔ
ｒｏｌ  Ｉｎｆｏｒｍａｔｉｏｎ）、ＰＵＳＣＨ ｗｉｔｈｏｕｔ ＵＣＩのいずれか一つであり、このような伝送信号が同時に伝送される場合の優先順位は、下記の通りである。１.RandomAccess Signal>PUCCH>PUSCH with UCI>PUSCH
２.(Random Access Signal=PUCCH)>PUSCH with UCI>PUSCH
３. PUCCH>Random Access Signal>PUSCH with UCI>PUSCH
４. PUCCH>PUSCH with UCI>Random Access Signal >PUSCH
５.PUCCH>PUSCH with UCI>PUSCH> Random Access Signal
６. RandomAccess Signal>SRS
７. 任意のＴＡグループが活性化されている（ａｃｔｉｖａｔｅｄ）時、追加のＴＡグループがランダムアクセスを試みると、他のＴＡグループではＰＵＣＣＨを同時伝送しないか、又はいかなるチャネルの信号も同時伝送しない
８. PUSCHfor Message 3 > PUCCH>PUSCH with UCI>PUSCH
９. PUSCHfor Message 3 = PUCCH>PUSCH with UCI>PUSCH
１０. PUCCH> PUSCH for Message 3 > PUSCH with UCI>PUSCH
１１. PUCCH> PUSCH with UCI > PUSCH for Message 3 > PUSCH
例えば、本発明の第１方案において、１番の優先順位であるＲａｎｄｏｍＡｃｃｅｓｓ
Ｓｉｇｎａｌ＞ＰＵＣＣＨ＞ＰＵＳＣＨ ｗｉｔｈ ＵＣＩ＞ＰＵＳＣＨ ｗｉｔｈｏｕｔ
ＵＣＩに従って伝送パワーを割り当てる場合、ＰＲＡＣＨ、ＰＵＣＣＨ、ＰＵＳＣＨに対するパワーコントロールの数式は、下記の通りである。
【０２４１】
図９は、本発明の一実施例に係る上りリンク信号を同時伝送する場合を示す図である。
【０２４２】
図９を参照して、Ｐｃｅｌｌ及びＳＣｅｌｌ＿１を含むＴＡグループ１、及びＳｃｅｌｌ＿２を含むＴＡグループ２が存在する通信環境において、このＰＣｅｌｌでＰＵＣＣＨ、ＰＵＳＣＨを伝送し、ＳＣｅｌｌ＿１でＰＵＳＣＨを伝送すると同時に、ＳＣｅｌｌ＿２でＰＲＡＣＨを伝送する場合を取り上げて説明する。
【０２４３】
このとき、ＴＡグループ２に属するＳｃｅｌｌ＿２でＰＲＡＣＨを伝送する電力は、下記の式１又は式２の通りである。
【０２４４】
【数１−１】
0005966043.tif 000280
【０２４５】
【数２−１】
0005966043.tif 000281
上記の式１及び２を参照すると、ＰＣＭＡＸ，Ｃは、サービングセル（ｃ）に対して構成される端末の伝送可能な最大電力を表し、ＰＲＥＡＭＢＬＥ＿ＲＥＣＥＩＶＥＤ＿ＴＡＲＧＥＴ＿ＰＯＷＥＲは、基地局が目的とするＲＡＣＨプリアンブルの受信電力を表す。ＰＬｃは、特定セルインデックスｃの端末がｄＢ単位で計算した下りリンク経路損失（又は信号損失）推定値で、ＰＬ＝ｒｅｆｅｒｅｎｃｅＳｉｇｎａｌＰｏｗｅｒ−ｈｉｇｈｅｒｌａｙｅｒｆｉｌｔｅｒｅｄＲＳＲＰで表現される。
【０２４６】
上記の式１及び２で、
【０２４７】
【化１５０】
0005966043.tif 000282
は、ＴＡグループ別に
【０２４８】
【化１５１】
0005966043.tif 000283
に変更され、ＴＡグループ別に上位層（ｈｉｇｈｅｒ  ｌａｙｅｒｓ）により、ＴＡグループ特定（ｇｒｏｕｐ  ｓｐｅｃｉｆｉｃ）に、又は端末特定（ＵＥ  ｓｐｅｃｉｆｉｃ）に端末に上記情報を知らせる方法がある。又は、一つの値でシグナリングされる値を知らせる方法、或いはサービングセル別に知らせる方法がある。
【０２４９】
【化１５２】
0005966043.tif 000284
は、ＴＡグループ別に経路損失を推定するための基準セルに関する情報であり、上位層により端末に知らせる方法、或いは一つの基準下りリンク（ＤＬ）セルの経路損失を推定して共通に使用する方法がある。
【０２５０】
上記の式２は、基準（ｒｅｆｅｒｅｎｃｅ）ＴＡグループの成功したＰＲＡＣＨ伝送パワーを基準として次のＴＡグループのＰＲＡＣＨ初期伝送パワーに適用する方法である。式２で、
【０２５１】
【化１５３】
0005966043.tif 000285
は、基準ＴＡグループで用いられた値で、上位層で一つの値をシグナリングし、ＰＬｃは、基準ＴＡグループで用いられた値を再使用したり、当該ＴＡグループでの経路損失値を使用すればよい。各ＴＡグループ別に経路損失推定のための基準ＤＬセルの情報を知らせなければならない。
【０２５２】
【化１５４】
0005966043.tif 000286
は、基準ＴＡグループで行った最初のプリアンブルから最後のプリアンブルまでのランプ−アップ（ｒａｍｐ−ｕｐ）された全体電力である。
【０２５３】
下記の式３は、ＴＡグループ１のサービングセルのうち、ＰＵＣＣＨを伝送するセルでのＰＵＣＣＨ伝送電力を表すものである。ここで、サービングセルはプライマリセルであってよく、複数の（ｍｕｌｔｉｐｌｅ）Ｐｃｅｌｌの場合は、ＰＰＵＣＣＨ，ｃのようにインデックスが追加される必要がある。
【０２５４】
【数３】
0005966043.tif 000287
上記の式３で、
【０２５５】
【化１５５】
0005966043.tif 000288
の線形値（ｌｉｎｅａｒ  ｖａｌｕｅ）であり、
【０２５６】
【化１５６】
0005966043.tif 000289
の線形値である。
【０２５７】
式３で、ｉは、サブフレームインデックス、ＰＣＭＡＸ，ｃは、特定セルインデックスｃの端末の伝送可能な最大電力を表し、ＰＯ＿ＰＵＣＣＨ，ｃは、セル−特定（ｃｅｌｌ−ｓｐｅｃｉｆｉｃ）パラメータの和で構成されたパラメータで、基地局が上位層シグナリングにより知らせる。ＰＬは、端末がｄＢ単位で計算した下りリンク経路損失（又は信号損失）推定値で、ＰＬ＝ｒｅｆｅｒｅｎｃｅＳｉｇｎａｌＰｏｗｅｒ−ｈｉｇｈｅｒｌａｙｅｒｆｉｌｔｅｒｅｄＲＳＲＰで表現される。
【０２５８】
【化１５７】
0005966043.tif 000290
は、ＰＵＣＣＨフォーマットによって異なる値で、ここで、ｎＣＱＩは、特定サブフレームでのチャネル品質情報（ＣＱＩ）に関する情報ビットの数であり、ｎＨＡＲＱは特定サブフレームでのＨＡＲＱビットの数を、ｎＳＲは、特定サブフレームがＵＬ−ＳＣＨに対する関連の伝送ブロック（ｔｒａｎｓｐｏｒｔ  ｂｌｏｃｋ）を有しない端末のＳＲで構成された場合には１であり、それ以外の場合には０である。
【０２５９】
【化１５８】
0005966043.tif 000291
は、ＰＵＣＣＨフォーマット１ａに対して相対的な値であり、ＰＵＣＣＨフォーマット（Ｆ）に対応し、且つ基地局が上位層シグナリングにより知らせる値である。ｇ(ｉ)は、インデックスｉサブフレームの現在ＰＵＣＣＨ電力制御調整ステート（ａｄｊｕｓｔｍｅｎｔ  ｓｔａｔｅ）を表す。ここで、ｎＣＱＩは、特定サブフレームでのチャネル品質情報（ＣＱＩ）に対する情報ビットの数であり、ｎＨＡＲＱは、特定サブフレームでのＨＡＲＱビットの数であり、ｎＳＲは、特定サブフレームがＵＬ−ＳＣＨに対する関連の伝送ブロック（ｔｒａｎｓｐｏｒｔ  ｂｌｏｃｋ）を有しない端末のＳＲで構成された場合には１であり、それ以外の場合には０である。
【０２６０】
【化１５９】
0005966043.tif 000292
は、ＰＵＣＣＨが２個のアンテナポートで伝送されるものとして端末により構成された場合、それぞれのＰＵＣＣＨｆｏｒｍａｔ Ｆ’が定義された上位層により定められる値で
ある。
【０２６１】
下記の式４は、ＴＡグループ１のセルのうち、ＰＵＣＣＨとＰＵＳＣＨを同時伝送しないサービングセルでのＰＵＳＣＨ伝送電力を表すものである。
【０２６２】
【数４】
0005966043.tif 000293
上記の式４で、ＰＣＭＡＸ，ｃは、特定セルインデックスｃの端末の伝送可能な最大電力であり、ＭＰＵＳＣＨ，ｃ(ｉ)は、サブフレームインデックスｉに対して特定セルインデックスｃの有効なリソースブロック数で表現されたＰＵＳＣＨリソース割当の帯域幅を表すパラメータで、基地局が割り当てる値である。ＰＯ＿ＰＵＳＣＨ，ｃ(ｊ)は、特定セルインデックスｃの上位レイヤから提供されたセル−特定ノミナルコンポーネント（ｎｏｍｉｎａｌ  ｃｏｍｐｏｎｅｎｔ）ＰＯ＿ＮＯＭＩＮＡＬ＿ＰＵＳＣＨ，ｃ(ｊ)と上位レイヤから提供された端末−特定コンポーネントＰＯ＿ＵＥ＿ＰＵＳＣＨ，ｃ(ｊ)との和で構成されたパラメータで、基地局が端末に知らせる値である。αｃ(ｊ)は、特定セルインデックスｃの上位層から提供され、基地局が３ビットで伝送するセル−特定パラメータで、ｊ＝０又は１のとき、α∈{０，０．４，０．５，０．６，０．７，０．８，０．９，１}であり、ｊ＝２のとき、α(ｊ)＝１である。αｃ(ｊ)は、基地局が端末に知らせる値である。ｐａｔｈｌｏｓｓ(ＰＬｃ)は、特定セルインデックスｃの端末がｄＢ単位で計算した下りリンク経路損失（又は信号損失）推定値で、ＰＬｃ＝ｒｅｆｅｒｅｎｃｅＳｉｇｎａｌＰｏｗｅｒ−ｈｉｇｈｅｒｌａｙｅｒｆｉｌｔｅｒｅｄＲＳＲＰで表現され、ここで、ｒｅｆｅｒｅｎｃｅＳｉｇｎａｌＰｏｗｅｒは、基地局が上位レイヤ端末に知らせればよい。ｆｃ(ｉ)は、特定セルインデックスｃのサブフレームインデックスｉに対して現在ＰＵＳＣＨパワー制御調整状態を表す値で、現在の絶対値又は蓄積された値で表現可能である。
【０２６３】
３ＧＰＰ ＬＴＥ／ＬＴＥ−Ａシステムで定義された
【０２６４】
【化１５９−１】
0005966043.tif 000294
は、上記特定セルインデックスｃの一つのコードワードに対する値として設定されるのが基本である。特定コードワードインデックスに対して、
【０２６５】
【化１６０】
0005966043.tif 000295
なら
【０２６６】
【化１６１】
0005966043.tif 000296
であり、
【０２６７】
【化１６２】
0005966043.tif 000297
になる。ここで、Ｋｓは、基地局が端末に上位レイヤコードワード別に提供する端末−特定パラメータ
【０２６８】
【化１６３】
0005966043.tif 000298
であってよい。
【０２６９】
【化１６４】
0005966043.tif 000299
になり、コードワード別に伝送電力が同一となる。しかし、
【０２７０】
【化１６５】
0005966043.tif 000300
なら、各コードワードの割り当てられたリソースに正規化した伝送情報サイズ（或いはスケジューリングされたＭＣＳレベル）によってコードワード別に伝送電力が異なることがある。ここで、パラメータＭＰＲは、パラメータＢＰＲＥ（Ｂｉｔｓ  Ｐｅｒ  Ｒｅｓｏｕｒｃｅ  Ｅｌｅｍｅｎｔ）などの別の名称としてもよい。すなわち、Ｋｓが０でない場合には、各コードワードごとの単位リソース当たりの情報量（例えば、ＢＰＲＥ）に基づいて
【０２７１】
【化１６６】
0005966043.tif 000301
が生成されるとよい。
【０２７２】
ここで、本発明によって、ＴＡグループ別に
【０２７３】
【化１６７】
0005966043.tif 000302
が設定されるように上位層（ｈｉｇｈｅｒ  ｌａｙｅｒ）により、セル特定（Ｃｅｌｌ  ｓｐｅｃｉｆｉｃ）に又は端末特定（ＵＥ  ｓｐｅｃｉｆｉｃ）に知らせるとよい。また、
【０２７４】
【化１６８】
0005966043.tif 000303
もＴＡグループ別にそれぞれ推定して使用できるように、基準下りリンクセル（ＤＬ  ｃｅｌｌ）情報を上位層により、セル特定（Ｃｅｌｌ  ｓｐｅｃｉｆｉｃ）に又は端末特定（ＵＥ  ｓｐｅｃｉｆｉｃ）に知らせてもよい。或いは、ＴＡグループに関係なく、これら２つの要素を一つの共通した値として使用してもよい。
【０２７５】
ランダムアクセス応答グラント（Ｒａｎｄｏｍ  ａｃｃｅｓｓ  ｒｅｓｐｏｎｓｅ  ｇｒａｎｔ）によってＰＵＳＣＨを（再）伝送（（ｒｅ）ｔｒａｎｓｍｉｓｓｉｏｎ）する場合（ｊ＝２）、
【０２７６】
【化１６９】
0005966043.tif 000304
はＴＡグループ別にシグナリングされなければならない。これは上位層を通じて知らせればよい。或いは、基準ＴＡグループについては上位層により伝送し、他のＴＡグループについては、その差値を、ブロードキャスト（ｂｒｏａｄｃａｓｔ）にて或いは端末特定（ＵＥ  ｓｐｅｃｉｆｉｃ）に知らせてもよい。
【０２７７】
ＴＡグループ１のセルのうち、ＰＵＣＣＨとＰＵＳＣＨを同時に伝送するサービングセルでのＰＵＳＣＨ伝送パワーは、下記の式５の通りである。
【０２７８】
【数５】
0005966043.tif 000305
上記の式５で、
【０２７９】
【化１７０】
0005966043.tif 000306
の線形値であり、ＴＡグループ別に
【０２８０】
【化１７１】
0005966043.tif 000307
が設定されるように上位層により知らせたり、ＴＡグループ特定に知らせたり、又は端末特定に知らせるとよい。また、
【０２８１】
【化１７２】
0005966043.tif 000308
もＴＡグループ別にそれぞれ推定して使用できるように基準下りリンクセル（ＤＬ  ｃｅｌｌ）情報を上位層により知らせたり、ＴＡグループ特定に知らせたり、又は端末特定に知らせてもよい。或いはＴＡグループに関係なく、これら２つの要素を一つの共通した値として使用してもよい。
【０２８２】
ランダムアクセス応答グラント（Ｒａｎｄｏｍ  ａｃｃｅｓｓ  ｒｅｓｐｏｎｓｅ  ｇｒａｎｔ）によってＰＵＳＣＨを（再）伝送（（ｒｅ）ｔｒａｎｓｍｉｓｓｉｏｎ）する場合（ｊ＝２）、
【０２８３】
【化１７３】
0005966043.tif 000309
はＴＡグループ別にシグナリングされなければならない。これは上位層（Ｈｉｇｈｅｒ  ｌａｙｅｒ）を通じて知らせるとよい。或いは、基準ＴＡグループについては上位層により伝送し、他のＴＡグループについてはその差値をブロードキャストにて或いは端末特定に知らせてもよい。
【０２８４】
上記した図９の特定状況における伝送電力設定の例を一般化する場合、前述した優先順位１から１１までの１１の場合において優先順位の低いものについては、既存電力制御（ｐｏｗｅｒ  ｃｏｎｔｒｏｌ）式の最大電力制限（ｍａｘ  ｐｏｗｅｒ  ｌｉｍｉｔａｔｉｏｎ）を、既存の値から以前の優先順位の伝送電力だけ減らした値に代えるように設定しなければならない。
【０２８５】
ＰＲＡＣＨ伝送パワーと、ＰＵＣＣＨ、ＵＣＩを含んでいるＰＵＳＣＨ、ＵＣＩを含んでいないＰＵＳＣＨの伝送パワーとの和が、端末の最大伝送パワー
【０２８６】
【化１７４】
0005966043.tif 000310
を超える場合、端末は、下記のような条件で各サービングセルに対するそれぞれの伝送パワーを調節すればよい。
【０２８７】
ＰＵＣＣＨが一つのサービングセルのみで伝送される場合に、ＰＵＣＣＨとＰＲＡＣＨのみが同時伝送されると、上記の式１と式３を用いて、ＰＵＣＣＨ伝送電力を調節すればよい。
【０２８８】
ＰＵＣＣＨが一つのサービングセルのみで伝送される場合に、ＰＵＣＣＨ、ＰＵＳＣＨ、ＰＲＡＣＨが同時伝送されると、下記の式６を満たすようにＰＵＣＣＨ伝送電力を調節すればよい。このとき、ＰＵＣＣＨ伝送がない場合を含む。ＰＵＣＣＨの伝送がない場合には
【０２８９】
【化１７５】
0005966043.tif 000311
である。すなわち、ＰＵＳＣＨの伝送電力については、端末の可能な最大伝送電力の線形値から、優先順位に従うＰＲＡＣＨとＰＵＣＣＨの伝送電力の線形値を除外し、残りの伝送電力においてスケーリングファクターｗ(ｉ)を適用することによってＰＵＳＣＨの伝送電力値を調整すればよい。
【０２９０】
【数６】
0005966043.tif 000312
下記の式７は、ＵＣＩを含んでいるＰＵＳＣＨ、ＵＣＩを含んでいないＰＵＳＣＨ、ＰＲＡＣＨが同時伝送される場合の、ＵＣＩを含んでいないＰＵＳＣＨの伝送電力の条件である。下記の式７を参照すると、最大端末の伝送電力において、ＰＲＡＣＨの伝送電力の線形値及びＵＣＩを含んでいるＰＵＳＣＨの伝送電力の線形値を考慮して、ＵＣＩを含んでいないＰＵＳＣＨの伝送電力を決定する。
【０２９１】
【数７】
0005966043.tif 000313
下記の式８及び式９は、サービングセルｊでＰＵＣＣＨとＵＣＩを含んでいるＰＵＳＣＨを同時に伝送し、他のサービングセルでＵＣＩを含んでいないＰＵＳＣＨを伝送し、他のサービングセルでＰＲＡＣＨを伝送する場合におけるＰＵＳＣＨ伝送電力の条件である。
【０２９２】
下記の式８を参照すると、最大端末の伝送電力において、ＰＲＡＣＨの伝送電力の線形値及びＰＵＣＣＨの伝送電力の線形値を考慮して、ＰＵＳＣＨの伝送電力を決定する。
【０２９３】
下記の式９を参照すると、他のセルでＵＣＩを含んでいるＰＵＳＣＨを伝送する場合には、ＵＣＩを含んでいるＰＵＳＣＨの伝送電力を考慮して、ＵＣＩを含んでいないＰＵＳＣＨの伝送電力にスケーリングファクターｗ(ｉ)を適用することでＰＵＳＣＨの伝送電力を調整すればよい。
【０２９４】
【数８】
0005966043.tif 000314
【０２９５】
【数９】
0005966043.tif 000315
下記の式１０は、ＰＵＣＣＨが一つ以上のサービングセルで伝送される場合の条件である。
【０２９６】
【数１０】
0005966043.tif 000316
上記の式１０を参照すると、
【０２９７】
【化１７６】
0005966043.tif 000317
は、ＰＵＣＣＨが割り当てられたセルでのＰＵＣＣＨ伝送パワーの和に該当する。すなわち、各セルのＰＵＣＣＨの伝送電力の和が、端末の最大伝送電力の線形値とＰＲＡＣＨ伝送電力の線形値との差を越えない条件を満たすようにする。
【０２９８】
下記の式１１は、ＰＵＣＣＨ、ＰＵＳＣＨ、ＰＲＡＣＨが同時伝送される場合に、ＰＵＳＣＨ伝送電力が満たすべき条件である。
【０２９９】
【数１１】
0005966043.tif 000318
上記の式１１で、
【０３００】
【化１７７】
0005966043.tif 000319
は、ＰＵＣＣＨが割り当てられたセルでのＰＵＣＣＨ伝送パワーの和であり、
【０３０１】
【化１７８】
0005966043.tif 000320
は、ＰＵＳＣＨが割り当てられたセルでのＰＵＳＣＨ伝送パワーの和である。
【０３０２】
ＵＣＩを含んでいるＰＵＳＣＨ、ＵＣＩを含んでいないＰＵＳＣＨ、及びＰＲＡＣＨが同時伝送される場合には、下記の式１２に従う。
【０３０３】
【数１２】
0005966043.tif 000321
サービングセルｊでＰＵＣＣＨ、及びＵＣＩを含んでいるＰＵＳＣＨを同時に伝送し、他のサービングセルでＵＣＩを含んでいないＰＵＳＣＨを伝送し、他のサービングセルでＰＲＡＣＨを伝送する場合には、下記の式１３及び式１４に従う。
【０３０４】
【数１３】
0005966043.tif 000322
【０３０５】
【数１４】
0005966043.tif 000323
上記の式１３を参照すると、ＵＣＩを含んでいないＰＵＳＣＨの伝送電力は、端末の最大伝送電力及びＰＲＡＣＨ伝送電力の線形値を考慮し、複数個のＰＵＣＣＨの伝送電力の線形値を考慮して決定すればよい。
【０３０６】
上記の式１４を参照すると、ＵＣＩを含んでいないＰＵＳＣＨの伝送電力は、端末の最大伝送電力及びＰＲＡＣＨ伝送電力の線形値を考慮し、複数個のＰＵＣＣＨの伝送電力の線形値及び複数個のＵＣＩを含んでいるＰＵＳＣＨの伝送電力の線形値を考慮して決定すればよい。すなわち、ＵＣＩを含んでいないＰＵＳＣＨの伝送電力が上記の式１４の条件を満たすように、ｗ(ｉ)の比例定数を適用してそれぞれのＰＵＳＣＨ伝送電力を調整することができる。
【０３０７】
前述した優先順位方法２〜１１も、同様の概念で拡張して適用可能である。各信号間の優先順位に従って方法１と同様に適用すればよい。
【０３０８】
優先順位方法５によって伝送パワーを割当する場合に、ＰＲＡＣＨ、ＳＲＳに対する電力制御数式は下記の通りである。
【０３０９】
下記の式１５又は１６は、ＰＲＡＣＨ伝送電力を表すものである。
【０３１０】
【数１５】
0005966043.tif 000324
【０３１１】
【数１６】
0005966043.tif 000325
ここで、
【０３１２】
【化１７９】
0005966043.tif 000326
については、ＴＡグループ別に上位層により、ＴＡグループ特定に又は端末特定に端末に知らせる方法、一つの値でシグナリングされる値を知らせる方法、或いはサービングセル別に知らせる方法がある。
【０３１３】
【化１８０】
0005966043.tif 000327
については、ＴＡグループ別に経路損失を推定するための基準セルに関する情報を上位層により端末に知らせる方法、或いは一つの基準下りリンクセルの経路損失を推定して共通に使用する方法がある。
【０３１４】
式２は、基準（ｒｅｆｅｒｅｎｃｅ）ＴＡグループの成功したＰＲＡＣＨ伝送パワーを基準にして次のＴＡグループのＰＲＡＣＨ初期伝送パワーに適用する方法である。式２で、PREAMBLE_RECEIVED_TARGET_POWERは、基準ＴＡグループで用いられた値であり、上位層から一つの値をシグナリングする。ＰＬｃは、基準ＴＡグループで用いられた値を再使用してもよく、当該ＴＡグループでの経路損失値を使用してもよい。各ＴＡグループ別に経路損失推定のための基準下りリンクセルの情報を知らせなければならない。
【０３１５】
【化１８１】
0005966043.tif 000328
は、基準ＴＡグループで行った最初のプリアンブルから最後のプリアンブルまでのランプ−アップ（ｒａｍｐ−ｕｐ）された全体電力である。
【０３１６】
下記の式１７は、ＳＲＳ伝送電力を表すものである。ここで、ＳＲＳ伝送電力において、各チャネル間の優先順位に従って、ＰＲＡＣＨの伝送電力の線形値を考慮して決定すればよい。
【０３１７】
【数１７】
0005966043.tif 000329
上記の式１７で、ｉは、サブフレームインデックス、ＰＳＲＳ，ｃ(ｉ)は、特定セルインデックスｃのサブフレームｉで伝送されるＳＲＳ電力を表す。ＰＳＲＳ＿ＯＦＦＳＥＴ，ｃ(ｍ)、ＭＳＲＳ，ｃ、ＰＯ＿ＰＵＳＣＨ，ｃ(ｊ)、αｃ(ｊ)は、基地局が上位層信号を用いて端末に知らせ、ｆｃ(ｉ)は、特定セルインデックスｃの基地局がＰＤＣＣＨのＴＰＣｃｏｍｍａｎｄを用いて端末に動的に知らせる。ＰＳＲＳ＿ｏｆｆｓｅｔ，ｃ(ｍ)は、特定セルインデックスｃのＳＲＳ伝送のための電力オフセット値である端末−特定パラメータ（例えば、４ビット）であり、上位レイヤで半−静的に（ｓｅｍｉ−ｓｔａｔｉｃａｌｌｙ）構成され、基地局が端末にシグナリングする値である。
【０３１８】
【化１８２】
0005966043.tif 000330
は、リソースブロックの数で表現されるＳＲＳ伝送帯域幅である。ｆｃ(ｉ)は、現在ＰＵＳＣＨパワー制御調整状態を表す値で、現在の絶対値又は蓄積された値で表現可能である。
【０３１９】
【化１８３】
0005966043.tif 000331
は、特定セルインデックスｃの上位層により基地局が例えば３ビットで伝送するセル−特定パラメータで、ｊ＝０又は１のとき、αｃ∈{０，０.４，０.５，０.６，０.７，０.８，０.９，１}であり、ｊ＝２のとき、αｃ(ｊ)＝１である。αｃ(ｊ)は、基地局が端末に知らせる値である。
【０３２０】
ＰＣＭＡＸ，ｃ(ｉ)は、特定セルインデックスｃの端末の伝送可能な最大電力であり、ＭＳＲＳ，ｃは、特定セルインデックスｃのリソースブロックの数で表現されたサブフレームｉでＳＲＳ伝送の帯域幅を表し、ＰＯ＿ＰＵＳＣＨ，ｃ(ｊ)は、特定セルインデックスｃの上位レイヤから提供されたセル−特定ノミナルコンポーネント（ｎｏｍｉｎａｌ  ｃｏｍｐｏｎｅｎｔ）ＰＯ＿ＮＯＭＩＮＡＬ＿ＰＵＳＣＨ，ｃ(ｊ)と特定セルインデックスｃの上位レイヤから提供された端末−特定コンポーネントＰＯ＿ＵＥ＿ＰＵＳＣＨ，ｃ(ｊ)との和で構成されたパラメータで、基地局が端末に知らせる値である。
【０３２１】
ＰＬ，ｃは、特定セルインデックスｃの端末がｄＢ単位で計算した下りリンク経路損失（又は信号損失）推定値で、ＰＬ，ｃ＝ｒｅｆｅｒｅｎｃｅＳｉｇｎａｌＰｏｗｅｒ−ｈｉｇｈｅｒｌａｙｅｒｆｉｌｔｅｒｅｄＲＳＲＰで表現される。基地局は、周期的ＳＲ
Ｓ伝送と非周期的ＳＲＳ伝送とを区別して別々にＰＳＲＳ＿ｏｆｆｓｅｔ，ｃ(ｍ)値を端末にシグナリングしてもよい。例えば、トリガータイプ０（ｔｒｉｇｇｅｒ  ｔｙｐｅ  ０）はｍ＝０の場合であって、基地局は周期的ＳＲＳ伝送のための電力オフセット値を上位層シグナリングにより端末に知らせることができる。また、トリガータイプ１（ｔｒｉｇｇｅｒ  ｔｙｐｅ  １）はｍ＝１の場合であって、基地局は非周期的ＳＲＳ伝送のための電力オフセット値を上位層シグナリングにより端末に知らせることができる。
【０３２２】
ＰＲＡＣＨ伝送パワーとＳＲＳの伝送パワーとの和が端末の最大伝送パワー
【０３２３】
【化１８４】
0005966043.tif 000332
を超える場合、端末は、下記の式１８の条件に従って各サービングセルに対する
【０３２４】
【化１８５】
0005966043.tif 000333
を調節すればよい。上記の式１７の場合と同様に、ＳＲＳ伝送電力において、各チャネル間の優先順位に従って、ＰＲＡＣＨの伝送電力の線形値を考慮して決定すればよい。
【０３２５】
【数１８】
0005966043.tif 000334
ここで、
【０３２６】
【化１８６】
0005966043.tif 000335
の線形値であり、
【０３２７】
【化１８７】
0005966043.tif 000336
の線形値であり、
【０３２８】
【化１８８】
0005966043.tif 000337
は、サブフレームｉで定義された
【０３２９】
【化１８９】
0005966043.tif 000338
の線形値である。また、
【０３３０】
【化１９０】
0005966043.tif 000339
は、サービングセルｃのための
【０３３１】
【化１９１】
0005966043.tif 000340
のスケーリングファクターであり、
【０３３２】
【化１９２】
0005966043.tif 000341
を満たす。ここで、
【０３３３】
【化１９３】
0005966043.tif 000342
は、各サービングセルにおいて同一の値を有する。
【０３３４】
さらに、上記発明と略同様の脈絡から、ＰＵＣＣＨ／ＰＵＳＣＨの数式においてＴＰＣ命令（ｃｏｍｍａｎｄ）が蓄積モード（ａｃｃｕｍｕｌａｔｉｏｎ  ｍｏｄｅ）である場合に、
【０３３５】
【化１９４】
0005966043.tif 000343
に対するリセット（ｒｅｓｅｔ）については、ＴＡグループ別に特定サービングセルでランダムアクセス応答メッセージを受信すると、該メッセージを受信したサービングセルが、蓄積された（ａｃｃｕｍｕｌａｔｅｄ）ＴＰＣ命令（ｃｏｍｍａｎｄｓ）を０又は特定値、例えば、あらかじめ定められた値或いは基地局からシグナリングされた値に再設定しなければならない。
【０３３６】
以下、これら２つの要素
【０３３７】
【化１９５】
0005966043.tif 000344
に対する初期値設定について説明する。
【０３３８】
ＰＵＳＣＨの伝送電力を決定する要素
【０３３９】
【化１９６】
0005966043.tif 000345
は、次のように初期値が設定される。
【０３４０】
【化１９７】
0005966043.tif 000346
は、特定セルインデックスｃのサブフレームインデックスｉに対して現在ＰＵＳＣＨパワー制御調整状態を表す値で、現在の絶対値又は蓄積された値で表現可能である。
【０３４１】
【化１９８】
0005966043.tif 000347
が上位層により変更され、且つサービングセルｃがプライマリセルである場合、又は、
【０３４２】
【化１９９】
0005966043.tif 000348
が上位層から受信され、サービングセルｃがセカンダリセルである場合には、
【０３４３】
【化２００】
0005966043.tif 000349
である。
【０３４４】
【化２０１】
0005966043.tif 000350
が上位層により変更され、且つサービングセルｃがプライマリセルである場合、及び
【０３４５】
【化２０２】
0005966043.tif 000351
が上位層から受信され、サービングセルｃがセカンダリセルである場合に該当しない場合には、
【０３４６】
【化２０３】
0005966043.tif 000352
に従う。この時のサービングセルｃは、各ＴＡグループでＰＲＡＣＨ（Ｒａｎｄｏｍ  ａｃｃｅｓｓ  ｓｉｇｎａｌ）を伝送したサービングセルに該当する。
【０３４７】
【化２０４】
0005966043.tif 000353
は、ＴＡグループ別にＰＲＡＣＨを伝送したサービングセルのために伝送されたランダムアクセス応答メッセージによって搬送されたＴＰＣ命令（ｃｏｍｍａｎｄ）であり、
【０３４８】
【化２０５】
0005966043.tif 000354
は、上位層により提供され、最初から最後のプリアンブルまでランプ−アップされた全体電力に該当する。
【０３４９】
ＰＵＣＣＨの伝送電力を決定する要素
【０３５０】
【化２０６】
0005966043.tif 000355
は、次のように初期値が設定される。
【０３５１】
【化２０７】
0005966043.tif 000356
は、インデックスｉサブフレームの現在ＰＵＣＣＨ電力制御調整ステート（ａｄｊｕｓｔｍｅｎｔ  ｓｔａｔｅ）を表す。
【０３５２】
【化２０８】
0005966043.tif 000357
が上位層により変更される場合に、
【０３５３】
【化２０９】
0005966043.tif 000358
と初期値が設定される。
【０３５４】
しかし、
【０３５５】
【化２１０】
0005966043.tif 000359
が上位層により変更されない場合には、
【０３５６】
【化２１１】
0005966043.tif 000360
によって初期値が設定される。この時、
【０３５７】
【化２１２】
0005966043.tif 000361
は、ＴＡグループ別にＰＲＡＣＨを伝送したサービングセルのために伝送されたランダムアクセス応答メッセージによって搬送されたＴＰＣ命令（ｃｏｍｍａｎｄ）であり、
【０３５８】
【化２１３】
0005966043.tif 000362
は、上位層により提供され、最初から最後のプリアンブルまでランプ−アップされた全体電力に該当する。
【０３５９】
上記発明は複数個のＴＡグループで発生できる状況について主に言及したが、３ＧＰＰＬＴＥリリース（ｒｅｌｅａｓｅ）−１０のようにタイミングアドバンスド（Ｔｉｍｉｎｇ  ａｄｖａｎｃｅ）技法を用いている状況でも同様の方法が適用可能である。
【０３６０】
例えば、ランダムアクセスプリアンブルを伝送するＰＣｅｌｌとＳＣｅｌｌ（ｓ）では、ＰＵＳＣＨ／ＳＲＳ伝送するようになる場合にも、上述した同時伝送による電力分配問題及びＴＡグループを考慮した電力制御問題が発生することになり、提案された方法を適用すればよい。ＰＣｅｌｌで上りリンク同期を確保する以外の目的でランダムアクセスプリアンブルを伝送する場合、すなわち、スケジューリング要請（Ｓｃｈｅｄｕｌｉｎｇ  ｒｅｑｕｅｓｔ）或いは端末ポジショニング（ＵＥ  ｐｏｓｉｔｉｏｎｉｎｇ）のために伝送する場合である。勿論、同期確保のために伝送する場合を排除するわけではない。
【０３６１】
また、上りリンク同期を確保した後に伝送するランダムアクセスプリアンブルは、１サブフレーム（１ｍｓ）を使用する（或いは、その以下の時間長をを有する）ＰＲＡＣＨフォーマット／シグナルに制限する。ＰＲＡＣＨフォーマットはセルサイズ（或いはセル半径）によって様々な形態となっている。２ｍｓと３ｍｓ（３サブフレーム）もあり、これらは時間同期のためには適合するが、同期を取った後にも再び使用することは大きな利得はない。
【０３６２】
すなわち、本発明では、同期調整可能なように各伝送電力をなす因子値をＴＡグループに基づいて調整可能である。
【０３６３】
また、伝送チャネルの優先順位において、ＲＡＣＨに優先順位をおく１の方式で上記の伝送電力を計算した。したがって、複数のＴＡグループに属するそれぞれのセルでチャネルが同時伝送される場合に、端末の上りリンク伝送電力の設定が可能になる。図１０は、本発明が適用される多重ノード通信環境の一例を示す図である。
【０３６４】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０３６５】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。
【産業上の利用可能性】
【０３６６】
伝送電力を制御する基地局装置及びその方法は、３ＧＰＰＬＴＥ、ＬＴＥ−Ａ、ＩＥＥＥ ８０２などの様々な通信システムで産業上利用可能である。
【図６Ａ】
0005966043.tif 000363
【図６Ｂ】
0005966043.tif 000364
【図７Ａ】
0005966043.tif 000365
【図７Ｂ】
0005966043.tif 000366
【図８Ａ】
0005966043.tif 000367
【図８Ｂ】
0005966043.tif 000368
【図１】
0005966043.tif 000369
【図２】
0005966043.tif 000370
【図３】
0005966043.tif 000371
【図４】
0005966043.tif 000372
【図５】
0005966043.tif 000373
【図９】
0005966043.tif 000374